(57)【要約】【課題】正面及び背面を有する基板と、正面に配設されたメタライゼーションパターンであって、そこから延びるフィンガーをそれぞれ含む複数の正面バスバーを備えたメタライゼーションパターンと、背面に配設された複数の背面バスバーとを備える太陽電池を提供すること。【解決手段】正面で、一つの正面バスバーは、基板の正面の縁部に沿って形成され、正面バスバーの残りものは、基板にわたって不均等に間隔をおいて配置されている。基板の背面で、一つの背面バスバーだけが、基板の背面の縁部に沿って形成され、背面バスバーの残りのものは、基板にわたって不均等に間隔をおいて配置されている。【選択図】図1
2018152561.tif 000002
【特許請求の範囲】
【請求項１】
正面及び背面を有する基板と、
前記基板の前記正面に配設されたメタライゼーションパターンであって、複数の正面バスバーを備え、各正面バスバーがそこから延びるフィンガーを含むメタライゼーションパターンと、
前記基板の前記背面に配設された複数の背面バスバーと
を備えた太陽電池であって、
前記基板の前記正面に、前記複数の正面バスバーのうち一つの正面バスバーは、前記基板の前記正面の縁部に沿って形成され、前記複数の正面バスバーのうち前記正面バスバーの残りのものは、前記基板にわたって不均等に間隔をおいて配置されており、
前記基板の前記背面に、前記複数の背面バスバーのうち一つの背面バスバーだけが、前記基板の前記背面の縁部に沿って形成され、前記複数の背面バスバーのうち前記背面バスバーの残りのものは、前記基板にわたって不均等に間隔をおいて配置されている、太陽電池。
【請求項２】
前記複数の正面バスバーのうち前記正面バスバーの残りのものは、互いに隣接している二つの正面バスバーを含む、請求項1に記載の太陽電池。
【請求項３】
前記複数の正面バスバーの各正面バスバーは、そこから延びるフィンガーラインを備え、二組の前記フィンガーラインは、互いの方に向かっている、請求項1に記載の太陽電池。
【請求項４】
前記二組のフィンガーラインのうち一つは、前記基板の前記正面の前記縁部に沿って形成された前記一つの正面バスバーから延びる、請求項3に記載の太陽電池。
【請求項５】
前記二組のフィンガーラインのどちらも、前記基板の前記正面の前記縁部に沿って形成された前記一つの正面バスバーから延びない、請求項3に記載の太陽電池。
【請求項６】
前記複数の正面バスバーの各正面バスバーはそこから延びるフィンガーラインを備え、第一組の前記フィンガーラインは互いの方に向かっており、第二組の前記フィンガーラインは互いの方に向かっている、請求項1に記載の太陽電池。
【請求項７】
前記太陽電池は、各セクションが一つの正面バスバーと一つの背面バスバーとを備える五つのディスクリートセクションを含む、請求項1に記載の太陽電池。
【請求項８】
前記太陽電池は、各セクションが一つの正面バスバーと一つの背面バスバーとを備える六つのディスクリートセクションを含む、請求項1に記載の太陽電池。
【請求項９】
前記太陽電池は、複数のストリップに分けることができ、各ストリップはほぼ等しい幅であり、各ストリップは、背面バスバーが形成されている縁部とは反対側の縁部に正面バスバーを有する、請求項1に記載の太陽電池。
【請求項１０】
前記太陽電池は、複数のストリップに分けることができ、各ストリップはほぼ等しい面積であり、各ストリップは、背面バスバーが形成されている縁部とは反対側の縁部に正面バスバーを有する、請求項1に記載の太陽電池。
【請求項１１】
太陽電池を形成する方法であって、
基板の正面にメタライゼーションパターンを堆積させるステップであって、前記メタライゼーションパターンが複数の正面バスバーを備え、各正面バスバーがそこから延びるフィンガーを含む、メタライゼーションパターンを堆積させるステップと、
前記基板の背面に複数の背面バスバーを堆積させるステップと
を含み、
前記基板の前記正面に、前記複数の正面バスバーのうち一つの正面バスバーは、前記基板の前記正面の縁部に沿って形成され、前記複数の正面バスバーのうち前記正面バスバーの残りのものは、前記基板にわたって不均等に間隔をおいて配置されており、
前記基板の前記背面に、前記複数の背面バスバーのうち一つの背面バスバーだけが、前記基板の前記背面の縁部に沿って形成され、前記複数の背面バスバーのうち前記背面バスバーの残りのものは、前記基板にわたって不均等に間隔をおいて配置されている、方法。
【請求項１２】
前記複数の正面バスバーのうち前記正面バスバーの残りのものは、互いに隣接している二つの正面バスバーを含む、請求項11に記載の方法。
【請求項１３】
前記複数の正面バスバーの各正面バスバーは、そこから延びるフィンガーラインを備え、二組の前記フィンガーラインは、互いの方に向かっている、請求項11に記載の方法。
【請求項１４】
前記二組のフィンガーラインのうち一つは、前記基板の前記正面の前記縁部に沿って形成された前記一つの正面バスバーから延びる、請求項13に記載の方法。
【請求項１５】
前記二組のフィンガーラインのどちらも、前記基板の前記正面の前記縁部に沿って形成された前記一つの正面バスバーから延びない、請求項13に記載の方法。
【請求項１６】
前記複数の正面バスバーの各正面バスバーはそこから延びるフィンガーラインを備え、第一組の前記フィンガーラインは互いの方に向かっており、第二組の前記フィンガーラインは互いの方に向かっている、請求項11に記載の方法。
【請求項１７】
各セクションが一つの正面バスバーと一つの背面バスバーとを備える五つのディスクリートセクションを画定するように前記太陽電池にスクライブラインを形成するステップをさらに含む、請求項11に記載の方法。
【請求項１８】
各セクションが一つの正面バスバーと一つの背面バスバーとを備える六つのディスクリートセクションを画定するように前記太陽電池にスクライブラインを形成するステップをさらに含む、請求項11に記載の方法。
【請求項１９】
前記太陽電池は、複数のストリップに分けることができ、各ストリップはほぼ等しい幅であり、各ストリップは、背面バスバーが形成されている縁部とは反対側の縁部に正面バスバーを有する、請求項11に記載の方法。
【請求項２０】
前記太陽電池は、複数のストリップに分けることができ、各ストリップはほぼ等しい面積であり、各ストリップは、背面バスバーが形成されている縁部とは反対側の縁部に正面バスバーを有する、請求項11に記載の方法。
【請求項２１】
正面及び背面を有する基板と、
前記基板の前記正面に配設されたメタライゼーションパターンであって、複数の正面バスバーを備え、各正面バスバーがそこから延びるフィンガーを含むメタライゼーションパターンと、
前記基板の前記背面に配設された複数の背面バスバーと
を備える太陽電池であって、
前記基板の前記正面に、前記複数の正面バスバーのうちどの正面バスバーも、前記基板の前記正面の縁部に沿って形成されておらず、前記複数の正面バスバーは、前記基板にわたって不均等に間隔をおいて配置されており、
前記基板の前記背面に、前記複数の背面バスバーのうち二つの背面バスバーは、前記基板の前記背面の対応する縁部に沿ってそれぞれ形成され、前記複数の背面バスバーのうち前記背面バスバーの残りのものは、前記基板にわたって不均等に間隔をおいて配置されている、太陽電池。
【請求項２２】
前記複数の正面バスバーのうち前記正面バスバーの残りのものは、互いに隣接している二つの正面バスバーを含む、請求項21に記載の太陽電池。
【請求項２３】
前記複数の正面バスバーの各正面バスバーは、そこから延びるフィンガーラインを備え、二組の前記フィンガーラインは、互いの方に向かっている、請求項21に記載の太陽電池。
【請求項２４】
前記二組のフィンガーラインのうち一つは、前記基板の前記正面の前記縁部に沿って形成された前記一つの正面バスバーから延びる、請求項23に記載の太陽電池。
【請求項２５】
前記二組のフィンガーラインのどちらも、前記基板の前記正面の前記縁部に沿って形成された前記一つの正面バスバーから延びない、請求項23に記載の太陽電池。
【請求項２６】
前記複数の正面バスバーの各正面バスバーはそこから延びるフィンガーラインを備え、第一組の前記フィンガーラインは互いの方に向かっており、第二組の前記フィンガーラインは互いの方に向かっている、請求項21に記載の太陽電池。
【請求項２７】
前記太陽電池は、各セクションが一つの正面バスバーと一つの背面バスバーとを備える五つのディスクリートセクションを含む、請求項21に記載の太陽電池。
【請求項２８】
前記太陽電池は、各セクションが一つの正面バスバーと一つの背面バスバーとを備える六つのディスクリートセクションを含む、請求項21に記載の太陽電池。
【請求項２９】
前記太陽電池は、複数のストリップに分けることができ、各ストリップはほぼ等しい幅であり、各ストリップは、背面バスバーが形成されている縁部とは反対側の縁部に正面バスバーを有する、請求項21に記載の太陽電池。
【請求項３０】
前記太陽電池は、複数のストリップに分けることができ、各ストリップはほぼ等しい面積であり、各ストリップは、背面バスバーが形成されている縁部とは反対側の縁部に正面バスバーを有する、請求項21に記載の太陽電池。
【請求項３１】
太陽電池を形成する方法であって、
基板の正面にメタライゼーションパターンを堆積させるステップであって、前記メタライゼーションパターンは複数の正面バスバーを備え、各正面バスバーはそこから延びるフィンガーを含む、メタライゼーションパターンを堆積させるステップと、
前記基板の背面に複数の背面バスバーを堆積させるステップと
を含み、
前記基板の前記正面に、前記複数の正面バスバーのうちどの正面バスバーも、前記基板の前記正面の縁部に沿って形成されておらず、前記複数の正面バスバーは、前記基板にわたって互いから不均一に離間しており、
前記基板の前記背面に、前記複数の背面バスバーのうち二つの背面バスバーは、前記基板の前記背面の対応する縁部に沿ってそれぞれ形成され、前記複数の背面バスバーのうち前記背面バスバーの残りのものは、前記基板にわたって不均等に間隔をおいて配置されている、方法。
【請求項３２】
前記複数の正面バスバーのうち前記正面バスバーの残りのものは、互いに隣接している二つの正面バスバーを含む、請求項31に記載の方法。
【請求項３３】
前記複数の正面バスバーの各正面バスバーは、そこから延びるフィンガーラインを備え、二組の前記フィンガーラインは、互いの方に向かっている、請求項31に記載の方法。
【請求項３４】
前記二組のフィンガーラインのうち一つは、前記基板の前記正面の前記縁部に沿って形成された前記一つの正面バスバーから延びる、請求項33に記載の方法。
【請求項３５】
前記二組のフィンガーラインのどちらも、前記基板の前記正面の前記縁部に沿って形成された前記一つの正面バスバーから延びない、請求項33に記載の方法。
【請求項３６】
前記複数の正面バスバーの各正面バスバーはそこから延びるフィンガーラインを備え、第一組の前記フィンガーラインは互いの方に向かっており、第二組の前記フィンガーラインは互いの方に向かっている、請求項31に記載の方法。
【請求項３７】
各セクションが一つの正面バスバーと一つの背面バスバーとを備える五つのディスクリートセクションを画定するように前記太陽電池にスクライブラインを形成するステップをさらに含む、請求項31に記載の方法。
【請求項３８】
各セクションが一つの正面バスバーと一つの背面バスバーとを備える六つのディスクリートセクションを画定するように前記太陽電池にスクライブラインを形成するステップをさらに含む、請求項31に記載の方法。
【請求項３９】
前記太陽電池を複数のストリップに分割すると、各ストリップはほぼ等しい幅であり、各ストリップは、背面バスバーが形成されている縁部とは反対側の縁部に正面バスバーを有する、請求項31に記載の方法。
【請求項４０】
前記太陽電池を複数のストリップに分割すると、各ストリップはほぼ等しく、各ストリップは、背面バスバーが形成されている縁部とは反対側の縁部に正面バスバーを有する、請求項31に記載の方法。
【発明の詳細な説明】
【技術分野】
【０００１】
本開示は、ソーラモジュールに関し、より詳細には、従来のリボン相互連結式モジュールよりもずっと高いモジュール効率を達成する板葺きアレイモジュール(「SAM: shingled array module」)に組み込まれる太陽電池に関する。
【背景技術】
【０００２】
過去数年にわたって、エネルギー源として化石燃料を使用することは、下り傾向となっている。この傾向には多くの要因が寄与している。例えば、石油、石炭、及び天然ガスなどの化石燃料ベースのエネルギーのオプションを使用することによりガスが生成され、汚染物質は簡単には大気から除去することができないことが長く理解されてきた。さらに、より多くの化石燃料ベースのエネルギーが消費されるにつれて、より多くの汚染物質が大気中に放出され、身近なところの生命に有害な影響を引き起こす。これらの影響にも関わらず、化石燃料ベースのエネルギーのオプションは、急速なペースでなお使い果たされている最中であり、その結果として、石油などのこれらの化石燃料資源の一部のコストは、上昇している。さらに、化石燃料埋蔵量の多くは、政治的に不安定な地域に位置するので、化石燃料の供給及びコストは、予測できなかった。
【０００３】
一部、これらの伝統的なエネルギー源によって示された多くの課題により、代替のクリーンなエネルギー源の需要が劇的に増加している。太陽エネルギー及び他のクリーンエネルギーの使用をさらに奨励するために、一部の政府は、金銭的な割り戻し又は減税の形態でインセンティブを与えており、消費者は、伝統的なエネルギー源からクリーンエネルギー源へ喜んで切り替える。他の例では、クリーンエネルギー源に変更することの長期的節約の利益は、クリーンエネルギー源を実施することに関する比較的高い初期費用よりも勝っていることを消費者は分かっている。
【０００４】
クリーンエネルギーの一形態であるソーラーエネルギーは、過去数年にわたって人気が上昇している。半導体技術の進歩によって、ソーラモジュール及びソーラーパネルの設計がより効率的になり、より大きく出力できることを可能にした。さらに、ソーラモジュール及びソーラーパネルを製造するための材料は、比較的安価になっており、これは、太陽エネルギーのコストの減少に貢献している。太陽エネルギーが個人消費者にとってますます手ごろなクリーンエネルギー選択になるにつれて、ソーラモジュール及びパネル製造業者は、住宅構造上で実施するための審美的及び実用的な魅力を有する利用可能な製品を作製してきた。これらの利益の結果として、太陽エネルギーは、広範にわたる地球規模の人気を得ている。
【発明の概要】
【発明が解決しようとする課題】
【０００５】
ソーラモジュール設計は、過去数年にわたって多くの進展がなされたが、それらが改善され得る。例えば、ソーラモジュールを製造するための太陽電池は、リボンはんだ付け相互接続の要求ごとに前面及び後面上の対称的なメタライゼーションパターン(metallization pattern)をなお用いている。さらに、光学的な損失及び抵抗の損失を減少させるために、製造プロセス自体がさらに最適化され得る。
【課題を解決するための手段】
【０００６】
本開示は、前述の欠点に対処する。本開示の一態様では、正面及び背面を有する基板と、基板の正面に配設されたメタライゼーションパターンであって、複数の正面バスバーを備え、各正面バスバーがそこから延びるフィンガーを含むメタライゼーションパターンと、基板の背面に配設された複数の背面バスバーとを備える太陽電池が提供される。基板の正面に、複数の正面バスバーのうち一つの正面バスバーは、基板の正面の縁部に沿って形成され、複数の正面バスバーのうち正面バスバーの残りのものは、基板にわたって不均等に間隔をおいて配置されており、基板の背面に、複数の背面バスバーのうち一つの背面バスバーだけが、基板の背面の縁部に沿って形成され、複数の背面バスバーのうち背面バスバーの残りのものは、基板にわたって不均等に間隔をおいて配置されている。
【０００７】
本開示の別の態様では、複数の正面バスバーのうち正面バスバーの残りのものは、互いに隣接している二つの正面バスバーを含む。
【０００８】
本開示の別の態様では、複数の正面バスバーの各正面バスバーは、そこから延びるフィンガーライン(finger line)を備え、二組のフィンガーラインは、互いの方に向かっている。本開示のさらに別の態様では、二組のフィンガーラインのうち一つは、基板の正面の縁部に沿って形成された一つの正面バスバーから延びる。代替として、本開示の一態様では、二組のフィンガーラインのどちらも、基板の正面の縁部に沿って形成された一つの正面バスバーから延びない。
【０００９】
本開示の別の態様では、複数の正面バスバーの各正面バスバーはそこから延びるフィンガーラインを備え、第一組のフィンガーラインは互いの方に向かっており、第二組のフィンガーラインは互いの方に向かっている。
【００１０】
本開示の別の態様では、太陽電池は、各セクションが一つの正面バスバーと一つの背面バスバーとを備える五つのディスクリートセクション(discrete section)を含む。
【００１１】
本開示の別の態様では、太陽電池は、各セクションが一つの正面バスバーと一つの背面バスバーとを備える六つのディスクリートセクションを含む。
【００１２】
本開示の別の態様では、太陽電池は、複数のストリップに分けることができ、各ストリップはほぼ等しい幅であり、各ストリップは、背面バスバーが形成されている縁部とは反対側の縁部に正面バスバーを有する。
【００１３】
本開示の別の態様では、太陽電池は、複数のストリップに分けることができ、各ストリップはほぼ等しい面積であり、各ストリップは、背面バスバーが形成されている縁部とは反対側の縁部に正面バスバーを有する。
【００１４】
本開示の別の態様によれば、太陽電池を形成する方法が提供される。この方法は、基板の正面にメタライゼーションパターンを堆積させるステップであって、メタライゼーションパターンが複数の正面バスバーを備え、各正面バスバーがそこから延びるフィンガーを含む、メタライゼーションパターンを堆積させるステップと、基板の背面に複数の背面バスバーを堆積させるステップとを含む。基板の正面に、複数の正面バスバーのうち一つの正面バスバーは、基板の正面の縁部に沿って形成され、複数の正面バスバーのうち正面バスバーの残りのものは、基板にわたって不均等に間隔をおいて配置されており、基板の背面に、複数の背面バスバーのうち一つの背面バスバーだけが、基板の背面の縁部に沿って形成され、複数の背面バスバーのうち背面バスバーの残りのものは、基板にわたって不均等に間隔をおいて配置されている。
【００１５】
本開示の別の態様では、複数の正面バスバーのうち正面バスバーの残りのものは、互いに隣接している二つの正面バスバーを含む。
【００１６】
本開示の別の態様では、複数の正面バスバーの各正面バスバーは、そこから延びるフィンガーラインを備え、二組のフィンガーラインは、互いの方に向かっている。本開示のさらに別の態様では、二組のフィンガーラインのうち一つは、基板の正面の縁部に沿って形成された一つの正面バスバーから延びる。本開示のまたさらなる別の態様では、二組のフィンガーラインのどちらも、基板の正面の縁部に沿って形成された一つの正面バスバーから延びない。
【００１７】
本開示の別の態様では、複数の正面バスバーの各正面バスバーはそこから延びるフィンガーラインを備え、第一組のフィンガーラインは互いの方に向かっており、第二組のフィンガーラインは互いの方に向かっている。
【００１８】
本開示の別の態様では、方法は、各セクションが一つの正面バスバーと一つの背面バスバーとを備える五つのディスクリートセクションを画定するように太陽電池にスクライブライン(scribe line)を形成するステップも含む。
【００１９】
本開示の別の態様では、方法は、各セクションが一つの正面バスバーと一つの背面バスバーとを備える六つのディスクリートセクションを画定するように太陽電池にスクライブラインを形成するステップも含む。
【００２０】
本開示の別の態様では、太陽電池は、複数のストリップに分けることができ、各ストリップはほぼ等しい幅であり、各ストリップは、背面バスバーが形成されている縁部とは反対側の縁部に正面バスバーを有する。
【００２１】
本開示の別の態様では、太陽電池は、複数のストリップに分けることができ、各ストリップはほぼ等しい面積であり、各ストリップは、背面バスバーが形成されている縁部とは反対側の縁部に正面バスバーを有する。
【００２２】
本開示のまたさらなる別の態様によれば、正面及び背面を有する基板と、基板の正面に配設されたメタライゼーションパターンであって、複数の正面バスバーを備え、各正面バスバーがそこから延びるフィンガーを含むメタライゼーションパターンと、基板の背面に配設された複数の背面バスバーとを備える太陽電池が提供される。基板の正面に、複数の正面バスバーのうちどの正面バスバーも、基板の正面の縁部に沿って形成されておらず、複数の正面バスバーは、基板にわたって不均等に間隔をおいて配置されている。基板の背面に、複数の背面バスバーのうち二つの背面バスバーは、基板の背面の対応する縁部に沿ってそれぞれ形成され、複数の背面バスバーのうち背面バスバーの残りのものは、基板にわたって不均等に間隔をおいて配置されている。
【００２３】
本開示の別の態様では、複数の正面バスバーのうち正面バスバーの残りのものは、互いに隣接している二つの正面バスバーを含む。
【００２４】
本開示の別の態様では、複数の正面バスバーの各正面バスバーは、そこから延びるフィンガーラインを備え、二組のフィンガーラインは、互いの方に向かっている。本開示のさらに別の態様では、二組のフィンガーラインのうち一つは、基板の正面の縁部に沿って形成された一つの正面バスバーから延びる。本開示のさらに別の態様では、二組のフィンガーラインのどちらも、基板の正面の縁部に沿って形成された一つの正面バスバーから延びない。
【００２５】
本開示の別の態様では、複数の正面バスバーの各正面バスバーはそこから延びるフィンガーラインを備え、第一組のフィンガーラインは互いの方に向かっており、第二組のフィンガーラインは互いの方に向かっている。
【００２６】
本開示の別の態様では、太陽電池は、各セクションが一つの正面バスバーと一つの背面バスバーとを備える五つのディスクリートセクションを含む。
【００２７】
本開示の別の態様では、太陽電池は、各セクションが一つの正面バスバーと一つの背面バスバーとを備える六つのディスクリートセクションを含む。
【００２８】
本開示の別の態様では、太陽電池は、複数のストリップに分けることができ、各ストリップはほぼ等しい幅であり、各ストリップは、背面バスバーが形成されている縁部とは反対側の縁部に正面バスバーを有する。
【００２９】
本開示の別の態様では、太陽電池は、複数のストリップに分けることができ、各ストリップはほぼ等しい面積であり、各ストリップは、背面バスバーが形成されている縁部とは反対側の縁部に正面バスバーを有する。
【００３０】
本開示のまたさらなる別の態様によれば、太陽電池を形成する方法が提供される。この方法は、基板の正面にメタライゼーションパターンを堆積させるステップであって、メタライゼーションパターンは複数の正面バスバーを備え、各正面バスバーはそこから延びるフィンガーを含む、メタライゼーションパターンを堆積させるステップと、基板の背面に複数の背面バスバーを堆積させるステップとを含む。基板の正面に、複数の正面バスバーのうちどの正面バスバーも、基板の正面の縁部に沿って形成されておらず、複数の正面バスバーは、基板にわたって互いから不均一に離間している。基板の背面に、複数の背面バスバーのうち二つの背面バスバーは、基板の背面の対応する縁部に沿ってそれぞれ形成され、複数の背面バスバーのうち背面バスバーの残りのものは、基板にわたって不均等に間隔をおいて配置されている。
【００３１】
本開示の別の態様では、複数の正面バスバーのうち正面バスバーの残りのものは、互いに隣接している二つの正面バスバーを含む。
【００３２】
本開示の別の態様では、複数の正面バスバーの各正面バスバーは、そこから延びるフィンガーラインを備え、二組のフィンガーラインは、互いの方に向かっている。本開示の別の態様によれば、二組のフィンガーラインのうち一つは、基板の正面の縁部に沿って形成された一つの正面バスバーから延びる。本開示のさらに別の態様によれば、二組のフィンガーラインのどちらも、基板の正面の縁部に沿って形成された一つの正面バスバーから延びない。
【００３３】
本開示の別の態様では、複数の正面バスバーの各正面バスバーはそこから延びるフィンガーラインを備え、第一組のフィンガーラインは互いの方に向かっており、第二組のフィンガーラインは互いの方に向かっている。
【００３４】
本開示の別の態様では、方法は、各セクションが一つの正面バスバーと一つの背面バスバーとを備える五つのディスクリートセクションを画定するように太陽電池にスクライブラインを形成するステップも含む。
【００３５】
本開示の別の態様では、方法は、各セクションが一つの正面バスバーと一つの背面バスバーとを備える六つのディスクリートセクションを画定するように太陽電池にスクライブラインを形成するステップも含む。
【００３６】
本開示の別の態様では、太陽電池を複数のストリップに分割すると、各ストリップはほぼ等しい幅であり、各ストリップは、背面バスバーが形成されている縁部とは反対側の縁部に正面バスバーを有する。
【００３７】
本開示の別の態様では、太陽電池を複数のストリップに分割すると、各ストリップはほぼ等しく、各ストリップは、背面バスバーが形成されている縁部とは反対側の縁部に正面バスバーを有する。
【００３８】
本開示の例示的な実施形態のさらなる詳細及び態様は、添付図面を参照しながら以下により詳細に説明される。
【００３９】
本開示の様々な態様が、図面を参照して以下に説明される。図面は、本明細書の一部に組み込まれ、本明細書の一部を構成する。
【図面の簡単な説明】
【００４０】
【図１】一実施形態による太陽電池の正面平面図である。
【図２】一実施形態による図1の太陽電池の背面平面図である。
【図３】一実施形態による図1の太陽電池の一部の拡大図である。
【図４】様々な実施形態による五つのストリップの太陽電池の簡略化された正面及び背面図である。
【図５】様々な実施形態による五つのストリップの太陽電池の簡略化された正面及び背面図である。
【図６】様々な実施形態による五つのストリップの太陽電池の簡略化された正面及び背面図である。
【図７】様々な実施形態による五つのストリップの太陽電池の簡略化された正面及び背面図である。
【図８】様々な実施形態による五つのストリップの太陽電池の簡略化された正面及び背面図である。
【図９】様々な実施形態による五つのストリップの太陽電池の簡略化された正面及び背面図である。
【図１０】様々な実施形態による五つのストリップの太陽電池の簡略化された正面及び背面図である。
【図１１】様々な実施形態による五つのストリップの太陽電池の簡略化された正面及び背面図である。
【図１２】様々な実施形態による五つのストリップの太陽電池の簡略化された正面及び背面図である。
【図１３】様々な実施形態による五つのストリップの太陽電池の簡略化された正面及び背面図である。
【図１４】様々な実施形態による五つのストリップの太陽電池の簡略化された正面及び背面図である。
【図１５】様々な実施形態による五つのストリップの太陽電池の簡略化された正面及び背面図である。
【図１６】様々な実施形態による五つのストリップの太陽電池の簡略化された正面及び背面図である。
【図１７】様々な実施形態による五つのストリップの太陽電池の簡略化された正面及び背面図である。
【図１８】様々な実施形態による五つのストリップの太陽電池の簡略化された正面及び背面図である。
【図１９】様々な実施形態による五つのストリップの太陽電池の簡略化された正面及び背面図である。
【図２０】様々な実施形態による五つのストリップの太陽電池の簡略化された正面及び背面図である。
【図２１】様々な実施形態による五つのストリップの太陽電池の簡略化された正面及び背面図である。
【図２２】様々な実施形態による五つのストリップの太陽電池の簡略化された正面及び背面図である。
【図２３】様々な実施形態による五つのストリップの太陽電池の簡略化された正面及び背面図である。
【図２４】様々な実施形態による六つのストリップの太陽電池の簡略化された正面及び背面図である。
【図２５】様々な実施形態による六つのストリップの太陽電池の簡略化された正面及び背面図である。
【図２６】様々な実施形態による六つのストリップの太陽電池の簡略化された正面及び背面図である。
【図２７】様々な実施形態による六つのストリップの太陽電池の簡略化された正面及び背面図である。
【図２８】様々な実施形態による六つのストリップの太陽電池の簡略化された正面及び背面図である。
【図２９】様々な実施形態による六つのストリップの太陽電池の簡略化された正面及び背面図である。
【図３０】様々な実施形態による六つのストリップの太陽電池の簡略化された正面及び背面図である。
【図３１】様々な実施形態による六つのストリップの太陽電池の簡略化された正面及び背面図である。
【図３２】様々な実施形態による六つのストリップの太陽電池の簡略化された正面及び背面図である。
【図３３】様々な実施形態による六つのストリップの太陽電池の簡略化された正面及び背面図である。
【図３４】様々な実施形態による六つのストリップの太陽電池の簡略化された正面及び背面図である。
【図３５】様々な実施形態による六つのストリップの太陽電池の簡略化された正面及び背面図である。
【図３６】様々な実施形態による六つのストリップの太陽電池の簡略化された正面及び背面図である。
【図３７】様々な実施形態による六つのストリップの太陽電池の簡略化された正面及び背面図である。
【図３８】様々な実施形態による六つのストリップの太陽電池の簡略化された正面及び背面図である。
【図３９】様々な実施形態による六つのストリップの太陽電池の簡略化された正面及び背面図である。
【図４０】様々な実施形態による六つのストリップの太陽電池の簡略化された正面及び背面図である。
【図４１】様々な実施形態による六つのストリップの太陽電池の簡略化された正面及び背面図である。
【図４２】様々な実施形態による六つのストリップの太陽電池の簡略化された正面及び背面図である。
【図４３】様々な実施形態による六つのストリップの太陽電池の簡略化された正面及び背面図である。
【図４４】様々な実施形態による六つのストリップの太陽電池の簡略化された正面及び背面図である。
【図４５】様々な実施形態による六つのストリップの太陽電池の簡略化された正面及び背面図である。
【図４６】様々な実施形態による六つのストリップの太陽電池の簡略化された正面及び背面図である。
【図４７】様々な実施形態による六つのストリップの太陽電池の簡略化された正面及び背面図である。
【図４８】様々な実施形態による六つのストリップの太陽電池の簡略化された正面及び背面図である。
【図４９】様々な実施形態による六つのストリップの太陽電池の簡略化された正面及び背面図である。
【図５０】様々な実施形態による六つのストリップの太陽電池の簡略化された正面及び背面図である。
【図５１】様々な実施形態による六つのストリップの太陽電池の簡略化された正面及び背面図である。
【図５２】様々な実施形態による六つのストリップの太陽電池の簡略化された正面及び背面図である。
【図５３】様々な実施形態による六つのストリップの太陽電池の簡略化された正面及び背面図である。
【図５４】様々な実施形態による六つのストリップの太陽電池の簡略化された正面及び背面図である。
【図５５】様々な実施形態による六つのストリップの太陽電池の簡略化された正面及び背面図である。
【図５６】様々な実施形態による六つのストリップの太陽電池の簡略化された正面及び背面図である。
【図５７】様々な実施形態による六つのストリップの太陽電池の簡略化された正面及び背面図である。
【図５８】様々な実施形態による六つのストリップの太陽電池の簡略化された正面及び背面図である。
【図５９】様々な実施形態による六つのストリップの太陽電池の簡略化された正面及び背面図である。
【図６０】様々な実施形態による六つのストリップの太陽電池の簡略化された正面及び背面図である。
【図６１】様々な実施形態による六つのストリップの太陽電池の簡略化された正面及び背面図である。
【図６２】様々な実施形態による六つのストリップの太陽電池の簡略化された正面及び背面図である。
【図６３】様々な実施形態による六つのストリップの太陽電池の簡略化された正面及び背面図である。
【図６４】様々な実施形態による六つのストリップの太陽電池の簡略化された正面及び背面図である。
【図６５】様々な実施形態による六つのストリップの太陽電池の簡略化された正面及び背面図である。
【図６６】様々な実施形態による六つのストリップの太陽電池の簡略化された正面及び背面図である。
【図６７】様々な実施形態による六つのストリップの太陽電池の簡略化された正面及び背面図である。
【図６８】様々な実施形態による六つのストリップの太陽電池の簡略化された正面及び背面図である。
【図６９】様々な実施形態による六つのストリップの太陽電池の簡略化された正面及び背面図である。
【図７０】様々な実施形態による六つのストリップの太陽電池の簡略化された正面及び背面図である。
【図７１】様々な実施形態による六つのストリップの太陽電池の簡略化された正面及び背面図である。
【図７２】様々な実施形態による六つのストリップの太陽電池の簡略化された正面及び背面図である。
【図７３】様々な実施形態による六つのストリップの太陽電池の簡略化された正面及び背面図である。
【図７４】様々な実施形態による六つのストリップの太陽電池の簡略化された正面及び背面図である。
【図７５】様々な実施形態による六つのストリップの太陽電池の簡略化された正面及び背面図である。
【図７６】様々な実施形態による六つのストリップの太陽電池の簡略化された正面及び背面図である。
【図７７】様々な実施形態による六つのストリップの太陽電池の簡略化された正面及び背面図である。
【図７８】一実施形態による一連の太陽電池ストリップを形成する方法の流れ図である。
【図７９】一実施形態によるスクライブラインを含む太陽電池の背面図である。
【図８０】一実施形態による太陽電池のスクライブが行われている間の図78に示した方法のステップの簡略化された概要図である。
【図８１】一実施形態による単体化後の図79の太陽電池の正面図である。
【図８２】一実施形態による太陽電池のストリップがストリング(string)に形成される間の図78に示された方法のステップの簡略化された概要図である。
【図８３】一実施形態による面取りされた角を有する一連の太陽電池ストリップの正面図である。
【図８４】一実施形態による各ストリングの最初のストリップ及び最後のストリップ上のバスバーにはんだ付けされた又は伝導接続されたエンドコネクタを含む面取りされていない角を有する一連の太陽電池ストリップの正面図である。
【図８５Ａ】様々な実施形態によるソーラモジュールの正面図である。
【図８５Ｂ】様々な実施形態によるソーラモジュールの正面図である。
【図８５Ｃ】様々な実施形態によるソーラモジュールの正面図である。
【図８６Ａ】様々な実施形態による図85A〜図85Cのソーラモジュールの背面図である。
【図８６Ｂ】様々な実施形態による図85A〜図85Cのソーラモジュールの背面図である。
【図８７】円Aによって画定された図85Aのソーラモジュールの一部の拡大図である。
【図８８】一実施形態による図85Aのソーラモジュール内に含まれた分離ストリップ(isolation strip)の平面図である。
【図８９】一実施形態によるソーラモジュールの電気回路図である。
【図９０】別の実施形態によるソーラモジュールの電気回路図である。
【図９１】さらに別の実施形態によるソーラモジュールの電気回路図である。
【図９２】一実施形態によるソーラモジュールを製造する方法の流れ図である。
【図９３】一実施形態によるソーラモジュールの断面図である。
【図９４】一実施形態によるバスバーのリボン構成の上面図である。
【図９５】一実施形態による分離ストリップ及び関連した電気接続を示す図85Bのソーラモジュールの一部の拡大図である。
【図９６】線B-Bに沿った図95に示されたソーラモジュールの断面図である。
【図９７】線C-Cに沿った図95に示されたソーラモジュールの断面図である。
【発明を実施するための形態】
【００４１】
ソーラモジュールに組み込まれたときに、効率及びエネルギー出力の改善をもたらすと共にコストを削減する独特な太陽電池の設計が、含まれている。太陽電池の設計は、太陽電池上に形成された特別なメタライゼーションパターンを利用するものであり、これは、低い漏れ電流がそれによって電池性能を高めることを本質的に可能にし、製造業者が板葺きアレイ太陽電池の効率をより正確に測定するために太陽電池検査装置をセットアップすることを可能にする。この検査のセットアップは、製造中の時間及び費用の削減をもたらすことができる。さらに、太陽電池を複数のストリップに単一化することによって製造時間のさらなる減少をほぼ同時にもたらす方法が提供される。太陽電池のストリップを組み込むソーラモジュールが提供される。
【００４２】
簡潔に上述されたように、太陽電池は、ソーラモジュールの構成要素として使用される。図1〜図3を参照すると、一実施形態による太陽電池100の様々な図が提供される。太陽電池100は、光エネルギーを電気に変換することによってエネルギーを生み出すことができるように構成された基板101で構成されている。好適な光起電材料の例は、限定されるものではないが、多結晶又は単結晶シリコンウェハから作製されるものを含む。これらのウェハは、主要な太陽電池加工ステップを通じて加工され得、これは、湿式又は乾式テクスチャライゼーション、接合拡散、ケイ酸塩ガラス層の除去及びエッジ絶縁、窒化ケイ素反射防止層コーティング、スクリーン印刷及び焼成を含む表裏のメタライゼーションを含む。ウェハは、背面パッシベーションコーティング、及び選択的パターニングを加えて、それによってパッシベーティド・エミッタ・リア・コンタクト(PERC)太陽電池を得ることを含む改良されたソーラー加工ステップを通じてさらに加工することができ、これは、上述した標準的な加工フローを用いて形成された太陽電池よりも高い効率を有する。一実施形態では、太陽電池100はp型単結晶セルであるが、他の実施形態では、p型多結晶セル又はn型単結晶セルであってもよい。上記の拡散型接合太陽電池と同様に、ヘテロ接合太陽電池を含む他の高効率太陽電池は、板葺きアレイモジュールの製造の使用のために同じメタライゼーションパターンを利用することができる。太陽電池100は、面取りされた角(疑似正方形)を有する実質的な正方形形状、又は完全な正方形形状を有することができる。図に示されるように、これらのオプションは、代替構成を示す破線で示されている。
【００４３】
図1に示されるように、太陽電池100は、基板101の正面104に形成されたメタライゼーションパターン102を有する。メタライゼーションパターン102は、概して、複数のディスクリートセクション106、108、110、112、114を備え、その各々は、正面バスバー116、118、120、122、124と、ライン126、128、130、132、134とを有する。ディスクリートセクション106、108、110、112、114は、後述されるように、各ディスクリートセクション106、108、110、112、114がストリップを形成するように太陽電池100から切り離され得るようにパターン形成されている。したがって、セクション106、108、110、112、114は、間隙によって切り離すことができ、これは遮断がなされ得る太陽電池100の一部として働く。含まれる場合、間隙の幅は、約0.2mmから約2.0mmの範囲内である。ここで、五つのディスクリートセクション106、108、110、112、114が含まれて、それによって五つのストリップ全部を形成する。正面バスバー116、118、120、122、124は互いにほぼ平行であり、それぞれは、太陽電池100の上縁部135及び下縁部137を交差することなく太陽電池100の長さに沿って延びる。図3を特に参照すると、各ディスクリートセクション106、108、110、112、114のライン126、128、130、132、134は、フィンガーライン、例えば、フィンガーライン140を含み、それぞれは、正面バスバー116、118、120、122、124と境界線、例えば境界線142との間に延びる。接続線は、一実施形態における隣接したフィンガーライン140間で延びるように含むことができる。
【００４４】
同様に、太陽電池100の背面146は、図2に示されるように、メタライゼーションを備える。一実施形態では、背面146は、複数の背面バスバー148、150、152、154、156を備え、その合計数は、正面バスバー116、118、120、122、124の個数に等しい。各背面バスバー148、150、152、154、156は、ディスクリートセクション106、108、110、112、114に対応する。一実施形態では、各背面バスバー148、150、152、154、156の位置は、対応する正面バスバー116、118、120、122、124の位置に依存する。具体的には、太陽電池100を複数のストリップに分割すると、各ストリップは、背面バスバー148、150、152、154、156が形成されている縁部とは反対側の縁部上に正面バスバー116、118、120、122、124を有する。さらに、各背面バスバー148、150、152、154、156は、対応する境界線142の真下でない太陽電池100上の位置に形成される。
【００４５】
正面バスバー及び背面バスバーの特定の位置は、戦略的に選択される。特に、正面バスバーは、太陽電池100の縁部の一方又は両方から離れている位置に形成され、このことによって側面漏れを減少させ、シャント抵抗を改善する。結果として、高い歩留まり及び改善された低放射性能(low irradiation performance)が実現される。さらに、正面バスバーのうち二つをそれらが互いに隣接するように一緒にグループ化することによって、フラッシュ検査中にバスバーを接触するために、典型的な五組又は六組のプローブではなく三組のプローブを用いることができる。より少ない個数のプローブが使用されることによって、やはり、検査中のプローブの陰影効果(shadow impact)を減少させて、それによって電池効率検査の精度及び一貫性を改善する。
【００４６】
この点については、図1に示された実施形態では、最も左のディスクリートセクション106は、太陽電池100の左縁部136、したがって、ディスクリートセクション106の左縁部160に沿って形成された境界線142を含み、一方、正面バスバー116は、太陽電池100の内部に向けてディスクリートセクション106の右縁部162に沿って形成されている。太陽電池100の右縁部138において、境界線178は、右縁部164に沿って形成されており、したがって、正面バスバー124は、最も右のディスクリートセクション114の反対側(又は左)縁部176に沿って太陽電池100の内部に向けて形成されている。正面バスバー118、120、122からなる残りのものは、対応するディスクリートセクション108、110、112の右縁部に沿って形成されている。したがって、正面バスバー116、118、120、122、124は、太陽電池100にわたって不均一に離間している。
【００４７】
同様に、背面バスバー148、150、152、154、156も、太陽電池100にわたって不均一に離間している。具体的には、背面バスバー148、150、152、154、156は、太陽電池100をディスクリートセクション106、108、110、112、114の各々で構成されている複数のストリップに分割すると、ストリップの正面バスバー116、118、120、122、124は、背面バスバー148、150、152、154、156が形成されている縁部とは反対側の縁部上にあるように、太陽電池100の背面146上の位置に形成される。例えば、図2を見ると、背面バスバー148は、太陽電池100の左縁部136(したがって、ディスクリートセクション106の左縁部160)に沿って形成されており、一方、背面バスバー156は、太陽電池100の右縁部138に沿って形成されている。背面バスバー150、152、154は、対応するディスクリートセクション108、110、112の左縁部に沿って形成されている。
【００４８】
図4及び図5は、別の実施形態による太陽電池400の簡略化された正面図及び背面図である。太陽電池400は、太陽電池400の正面404に正面バスバー416、418、420、422、424を含むようにそれぞれパターン形成されていると共に、太陽電池400の背面446に背面バスバー448、450、452、454、456を含むようにそれぞれパターン形成されているディスクリートセクション406、408、410、412、414を有する。太陽電池100と同様に、五つのディスクリートセクション406、408、410、412、414が含まれて、それによって五つのストリップ全部を形成する。さらに、正面バスバー416、418、420、422、424は互いにほぼ平行であり、それぞれは、太陽電池100の縁部435、437を交差することなく太陽電池400の長さに沿って延びる各正面バスバー416、418、420、422、424は、そこから離れるように延びるフィンガーラインを有する。また太陽電池100と同様に、最も左のディスクリートセクション406は、太陽電池400の左縁部436(ディスクリートセクション406の左縁部460)に沿って形成された境界線(図示せず)を含み、一方、正面バスバー416は、ディスクリートセクション406の右縁部462に沿って形成されている。また太陽電池100と同様に、境界線478は、太陽電池400の右縁部438に沿って形成され、したがって、正面バスバー424は、最も右のディスクリートセクション414の反対側(又は左)縁部476に沿って太陽電池400の内部に向けて形成されている。太陽電池100とは対照的に、太陽電池400の正面バスバー418、420、422からなる残りのものは、様々に間隔をおいて配置され、例えば、正面バスバー418、420、422からなる残りのものは、他の正面バスバー416、424の間に不均一に間隔をおいて配置されている。特に、正面バスバー418は、ディスクリートセクション408の左縁部464に沿って形成されており、左縁部464は、ディスクリートセクション406の右縁部462に隣接している。正面バスバー420は、ディスクリートセクション410の右縁部470に沿って形成されている。さらに、正面バスバー422は、ディスクリートセクション412の右縁部474に沿って形成されており、これは、ディスクリートセクション414の左縁部476で隣接した正面バスバー424である。したがって、正面バスバー116、118、120、122、124は、太陽電池100にわたって不均一に離間している。図5に示されるように、背面バスバー448、450、452、454、456は、太陽電池400の背面446において対応する反対側縁部位置に形成されている。いくつかの実施形態において、縁部のうち一つ以上(例えば、図4〜図76において参照されるもの)は、目に見える線として表現されている場合もあればそうでない場合もあることが理解されよう。
【００４９】
図6及び図7は、別の実施形態による太陽電池600の簡略化された正面図及び背面図である。太陽電池600は、太陽電池600の正面604に正面バスバー616、618、620、622、624を含むようにそれぞれパターン形成されていると共に、太陽電池600の背面646に背面バスバー648、650、652、654、656を含むようにそれぞれパターン形成されているディスクリートセクション606、608、610、612、614を有する。太陽電池100及び400と同様に、五つのディスクリート606、608、610、612、614が含まれて、それによって五つのストリップ全体を形成する。さらに、正面バスバー616、618、620、622、624は互いにほぼ平行であり、それぞれは、太陽電池600の縁部635を交差することなく太陽電池600の長さに沿って延びる。各正面バスバー616、618、620、622、624は、そこから離れるように延びるフィンガーラインを有する。太陽電池100及び400とやはり同様に、最も左のディスクリートセクション606は、太陽電池600の左縁部636(ディスクリートセクション606の左縁部660)に沿って形成された境界線を含み、一方、正面バスバー616は、ディスクリートセクション606の右縁部662に沿って形成されている。また太陽電池100及び400と同様に、境界線は、太陽電池600の右縁部638に沿って形成され、したがって、正面バスバー624は、最も右のディスクリートセクション614の反対側(又は左)縁部676に沿って太陽電池600の内部に向けて形成されている。
【００５０】
正面バスバー618、620、622からなる残りのものは、他の正面バスバー616、624の間に不均一に間隔をおいて配置されている。特に、正面バスバー618は、ディスクリートセクション608の右縁部666に沿って形成され、隣接した右縁部666は、ディスクリートセクション610の左縁部668に沿った形成された正面バスバー620である。正面バスバー622は、ディスクリートセクション612の右縁部674に沿って形成されている。したがって、正面バスバー616、618、620、622、624は、太陽電池600にわたって不均一に離間している。図7に示されるように、背面バスバー648、650、652、654、656は、太陽電池600の背面646において対応する反対側縁部位置に形成されている。
【００５１】
図8及び図9は、またさらに別の実施形態による太陽電池800の簡略化された正面図及び背面図である。太陽電池800は、太陽電池800の正面804に正面バスバー816、818、820、822、824を含むようにそれぞれパターン形成されていると共に、太陽電池800の背面846に背面バスバー848、850、852、854、856を含むようにそれぞれパターン形成されているディスクリートセクション806、808、810、812、814を有する。太陽電池100、400、及び600と同様に、五つのディスクリート806、808、810、812、814が含まれて、それによって五つのストリップ全部を形成し、正面バスバー816、818、820、822、824は互いにほぼ平行であり、それぞれは、太陽電池800の縁部835を交差することなく太陽電池800の長さに沿って延びる。各正面バスバー816、818、820、822、824は、そこから離れるように延びるフィンガーラインを有する。また太陽電池100、400、及び600と同様に、それぞれ、境界線(図示せず)は太陽電池800の左縁部836上に形成され、正面バスバー816もディスクリートセクション806の右縁部862で形成されており、正面バスバー824及び境界線は、それぞれディスクリートセクション814の左縁部876及び太陽電池800の右縁部838に沿って形成されている。
【００５２】
正面バスバー818、820、822からなる残りのものも、他の正面バスバー816、824の間に不均一に間隔をおいて配置されている。特に、正面バスバー818は、ディスクリートセクション808の右縁部866に沿って形成され、正面バスバー820は、ディスクリートセクション810の右縁部870に沿って形成され、正面バスバー822は、ディスクリートセクション812の左縁部872に沿って形成されている。図9に示されるように、背面バス848、850、852、854、856は、太陽電池800の背面846において対応する反対側縁部位置に形成されている。
【００５３】
太陽電池の縁部に沿ってバスバーが形成されていないものではない別の実施形態では、一つのバスバーが含まれる。例えば、図10及び図11に示されるように、太陽電池1000は、太陽電池1000の正面1004に正面バスバー1016、1018、1020、1022、1024を含むようにそれぞれパターン形成されていると共に、太陽電池1000の背面1046に背面バスバー1048、1050、1052、1054、1056を含むようにそれぞれパターン形成されているディスクリートセクション1006、1008、1010、1012、1014を有する。五つのディスクリートセクション1006、1008、1010、1012、1014が含まれて、それによって五つのストリップ全部を形成し、正面バスバー1016、1018、1020、1022、1024は互いにほぼ平行であり、それぞれは、太陽電池1000の縁部1035、1037、1039を交差することなく太陽電池1000の長さに沿って延びる。各正面バスバー1016、1018、1020、1022、1024は、そこから離れるように延びるフィンガーラインを有する。境界線及び正面バスバー1016は、それぞれ太陽電池1000の左縁部1036及びディスクリートセクション1006の右縁部1062に形成され、一方、境界線及び正面バスバー1024は、それぞれディスクリートセクション1014の左縁部1076及び太陽電池1000の右縁部1038に沿って形成される。
【００５４】
正面バスバー1018、1020、1022からなる残りのものは、図8及び図9に図示及び説明された太陽電池800の正面バスバー816、818、820、822、824と同様のやり方で、ここに他の正面バスバー1016、1024の間に不均一に間隔をおいて配置されている。図11に示されるように、背面バス1048、1050、1052、1054、1056は、太陽電池1000の背面1046において対応する反対側縁部位置に形成されている。
【００５５】
別の例示的な実施形態では、図12及び図13に示されるように、ここで太陽電池1200は、太陽電池1200の正面1204に正面バスバー1216、1218、1220、1222、1224を含むようにそれぞれパターン形成されていると共に、太陽電池1200の背面1246に背面バスバー1248、1250、1252、1254、1256を含むようにそれぞれパターン形成されているディスクリートセクション1206、1208、1210、1212、1214を有する。正面バスバー1216、1224は、正面バスバー1016、1024の位置と同様の太陽電池1100上の位置に形成され、正面バスバー1218、1220、1222からなる残りのものは、太陽電池600の正面バスバー618、620、622と同様のやり方で、ここに他の正面バスバー1216、1224の間に不均一に間隔をおいて配置されている。各正面バスバー1216、1218、1220、1222、1224は、そこから離れるように延びるフィンガーラインを有する。図13に示されるように、背面バス1248、1250、1252、1254、1256は、太陽電池1200の背面1246において対応する反対側縁部位置に形成されている。
【００５６】
さらに別の例示的な実施形態によれば、図14及び図15に示されるように、ここで太陽電池1400は、太陽電池1400の正面1404に正面バスバー1416、1418、1420、1422、1424を含むようにそれぞれパターン形成されていると共に、太陽電池1400の背面1446に背面バスバー1448、1450、1452、1454、1456を含むようにそれぞれパターン形成されているディスクリートセクション1406、1408、1410、1412、1414を有する。正面バスバー1416、1424は、太陽電池1000の正面バスバー1016、102の位置と同様の太陽電池1400上の位置に形成され、正面バスバー1418、1420、1422からなる残りのものは、太陽電池400の正面バスバー418、420、422と同様のやり方で、ここに他の正面バスバー1416、1424の間に不均一に間隔をおいて配置されている。図15に示されるように、背面バス1448、1450、1452、1454、1456は、太陽電池1400の背面1446において対応する反対側縁部位置に形成されている。各正面バスバー1416、1418、1420、1422、1424は、そこから離れるように延びるフィンガーラインを有する。
【００５７】
またさらなる別の例示的な実施形態によれば、図16及び図17に示されるように、ここで太陽電池1600は、太陽電池1600の正面1604に正面バスバー1616、1618、1620、1622、1624を含むようにそれぞれパターン形成されていると共に、太陽電池1600の背面1646に背面バスバー1648、1650、1652、1654、1656を含むようにそれぞれパターン形成されているディスクリートセクション1606、1608、1610、1612、1614を有する。正面バスバー1616、1624は、太陽電池1000の正面バスバー1016、1024の位置と同様の太陽電池1400上の位置に形成される。正面バスバー1618、1620、1622からなる残りのものは、ここに他の正面バスバー1616、1624の間に不均一に間隔をおいて配置されている。具体的には、正面バスバー1618は、ディスクリートセクション1608の右縁部1666に沿って形成され、正面バスバー1620は、ディスクリートセクション1610の左縁部1668に沿って延びる。正面バスバー1622は、ディスクリートセクション1612の左縁部1672に沿って形成されている。各正面バスバー1616、1618、1620、1622、1624は、そこから離れるように延びるフィンガーラインを有する。図17に示されるように、背面バス1648、1650、1652、1654、1656は、太陽電池1600の背面1646において対応する反対側縁部位置に形成されている。
【００５８】
またさらなる別の例示的な実施形態では、図18及び図19に示されるように、ここで太陽電池1800は、正面バスバー1816、1818、1820、1822、1824を含むように太陽電池1800の正面1804にそれぞれパターン形成されていると共に、背面バスバー1848、1850、1852、1854、1856を含むように太陽電池1800の背面1846にそれぞれパターン形成されているディスクリートセクション1806、1808、1810、1812、1814を有する。正面バスバー1816、1824は、太陽電池1000の正面バスバー1016、1024の位置と同様の太陽電池1800上の位置に形成される。正面バスバー1818、1820、1822からなる残りのものは、ここで他の正面バスバー1816、1824の間に不均一に間隔をおいて配置されている。特に、正面バスバー1818は、ディスクリートセクション1808の左縁部1864に沿って形成され、正面バスバー1820は、ディスクリートセクション1810の右縁部1870に沿って形成され、正面バスバー1822は、ディスクリートセクション1812の左縁部1872に沿って形成されている。各正面バスバー1816、1818、1820、1822、1824は、そこから離れるように延びるフィンガーラインを有する。図19に示されるように、背面バス1848、1850、1852、1854、1856は、太陽電池1800の背面1846において対応する反対側縁部位置に形成されている。
【００５９】
別の例示的な実施形態では、図20及び図21に示されるように、ここで太陽電池2000は、太陽電池2000の正面2004に正面バスバー2016、2018、2020、2022、2024を含むようにそれぞれパターン形成されていると共に、太陽電池2000の背面2046に背面バスバー2048、2050、2052、2054、2056を含むようにパターン形成されているディスクリートセクション2006、2008、2010、2012、2014を有する。正面バスバー2016、2024は、太陽電池1000の正面バスバー1016、1024と同様の太陽電池2000上の位置に形成される。正面バスバー2018、2020、2022からなる残りのものは、ここに他の正面バスバー2016、2024の間に不均一に間隔をおいて配置されている。特に、正面バスバー2018は、ディスクリートセクション2008の左縁部2064に沿って形成され、正面バスバー2020は、ディスクリートセクション2010の左縁部2068に沿って形成され、正面バスバー2022は、ディスクリートセクション2012の右縁部2074に沿って形成されている。各正面バスバー2016、2018、2020、2022、2024は、そこから離れるように延びるフィンガーラインを有する。図21に示されるように、背面バス2048、2050、2052、2054、2056は、太陽電池2000の背面2046において対応する反対側縁部位置に形成されている。
【００６０】
さらに別の例示的な実施形態では、図22及び図23に示されるように、ここで太陽電池2200は、太陽電池2200の正面2204に正面バスバー2216、2218、2220、2222、2224を含むようにそれぞれパターン形成されていると共に、太陽電池2200の背面2246に背面バスバー2248、2250、2252、2254、2256を含むようにそれぞれパターン形成されているディスクリートセクション2206、2208、2210、2212、2214を有する。正面バスバー2216、2224は、太陽電池1000の正面バスバー1016、1024の位置と同様の太陽電池2200上の位置に形成される。正面バスバー2218、2220、2222からなる残りのものは、他の正面バスバー2216、2024の間に均一に間隔をおいて配置されている。正面バスバー2218は、ディスクリートセクション2208の左縁部2264に沿って形成され、正面バスバー2220は、ディスクリートセクション2210の左縁部2268に沿って形成され、正面バスバー2222は、ディスクリートセクション2212の左縁部2272に沿って形成されている。各正面バスバー2216、2218、2220、2222、2224は、そこから離れるように延びるフィンガーラインを有する。図23に示されるように、背面バス2248、2250、2252、2254、2256は、太陽電池2200の背面2246において対応する反対側縁部位置に形成されている。
【００６１】
上記の太陽電池の実施形態は、五つのストリップに分割されることになる五つのディスクリートセクションを含むが、他の実施形態は、六つのストリップに分割されることになる六つのディスクリートセクションを有する太陽電池を含む。上記実施形態と同様に、正面バスバーの一つは、太陽電池の縁部に沿って形成され、又は、正面バスバーのどれも、太陽電池の縁部に沿って形成されていない。
【００６２】
次に図24及び図25を見ると、六つのディスクリートセクション2406、2408、2410、2412、2414、2416を有する太陽電池2400が示されている。ディスクリートセクション2406、2408、2410、2412、2414、2416は、太陽電池2400の正面2402に正面バスバー2418、2420、2422、2424、2426、2428を含むようにそれぞれパターン形成されていると共に、太陽電池2400の背面2404に背面バスバー2430、2432、2434、2436、2438、2440を含むようにそれぞれパターン形成されている。正面バスバー2418は、その左縁部2442から離れていると共に、特にディスクリートセクション2406の右縁部2452に沿っている太陽電池2400上の位置に形成されている。正面バスバー2428は、太陽電池2400の右縁部2444に沿って形成されており、これは、ディスクリートセクション2416の右縁部2472に沿ってもいる。正面バスバー2420、2422、2424、2426からなる残りのものは、他の正面バスバー2416、2424の間に均一に間隔をおいて配置されている。具体的には、正面バスバー2420は、ディスクリートセクション2408の右縁部2456に沿って形成され、正面バスバー2422は、ディスクリートセクション2410の右縁部2460に沿って形成され、正面バスバー2424は、ディスクリートセクション2412の右縁部2464に沿って形成され、正面バスバー2426は、ディスクリートセクション2414の右縁部2468に沿って形成されている。各正面バスバー2418、2420、2422、2424、2426、2428は、そこから離れるように延びるフィンガーラインを有する。図25に示されるように、背面バス2430、2432、2434、2436、2438、2440は、太陽電池2400の背面2404において対応する反対側縁部位置に形成されている。
【００６３】
図26及び図27は、六つのディスクリートセクション2606、2608、2610、2612、2614、2616を有する太陽電池2600の別の実施形態を示す。ディスクリートセクション2606、2608、2610、2612、2614、2616は、太陽電池2600の正面2602に正面バスバー2618、2620、2622、2624、2626、2628を含むようにそれぞれパターン形成されていると共に、太陽電池2600の背面2604に背面バスバー2630、2632、2634、2636、2638、2640を含むようにそれぞれパターン形成されている。正面バスバー2618は、その左縁部2642から離れていると共に、特にディスクリートセクション2606の右縁部2652に沿っている太陽電池2600上の位置に形成されている。正面バスバー2628は、太陽電池2600の右縁部2644に沿って形成されており、これは、ディスクリートセクション2616の右縁部2672に沿ってもいる。正面バスバー2620、2622、2624、2626からなる残りのものは、他の正面バスバー2616の間に不均一に間隔をおいて配置されている。具体的には、正面バスバー2620は、ディスクリートセクション2608の左縁部2654に沿って形成され、正面バスバー2622は、ディスクリートセクション2610の右縁部2660に沿って形成され、正面バスバー2624は、ディスクリートセクション2612の右縁部2664に沿って形成され、正面バスバー2624は、ディスクリートセクション2614の右縁部2668に沿って形成されている。各正面バスバー2618、2620、2622、2624、2626、2628は、そこから離れるように延びるフィンガーラインを有する。図27に示されるように、背面バスバー2630、2632、2634、2636、2638、2640は、太陽電池2600の背面2604において対応する反対側縁部位置に形成されている。
【００６４】
別の実施形態では、六つのディスクリートセクション2806、2808、2810、2812、2814、2816を有する太陽電池2800が、図28及び図29に示されている。ディスクリートセクション2806、2808、2810、2612、2614、2616は、太陽電池2800の正面2802に正面バスバー2818、2820、2822、2824、2826、2828を含むようにそれぞれパターン形成されていると共に、太陽電池2800の背面2804に背面バスバー2830、2832、2834、2836、2838、2840を含むようにそれぞれパターン形成されている。正面バスバー2818は、左縁部2842から離れて、特にディスクリートセクション2806の右縁部2852に沿って形成されている。正面バスバー2828は、太陽電池2600の右縁部2844に沿って形成されており、これは、ディスクリートセクション2816の右縁部2872に沿ってもいる。正面バスバー2820、2822、2824、2826からなる残りのものは、他の正面バスバー2818、2828の間に不均一に間隔をおいて配置されている。具体的には、正面バスバー2820は、ディスクリートセクション2808の右縁部2856に沿って形成され、正面バスバー2822は、ディスクリートセクション2810の左縁部2858に沿って形成され、正面バスバー2824は、ディスクリートセクション2812の右縁部2864に沿って形成され、正面バスバー2826は、ディスクリートセクション2614の右縁部2868に沿って形成されている。各正面バスバー2818、2820、2822、2824、2826、2828は、そこから離れるように延びるフィンガーラインを有する。図29に示されるように、背面バス2830、2832、2834、2836、2838、2840は、太陽電池2800の背面2804において対応する反対側縁部位置に形成されている。
【００６５】
さらに別の実施形態では、六つのディスクリートセクション3006、3008、3010、3012、3014、3016を有する太陽電池3000が、図30及び図31に示されている。ディスクリートセクション3006、3008、3010、3012、3014、3016は、太陽電池3000の正面3002に正面バスバー3018、3020、3022、3024、3026、3028を含むようにそれぞれパターン形成されていると共に、太陽電池3000の背面3004に背面バスバー3030、3032、3034、3036、3038、3040を含むようにそれぞれパターン形成されている。正面バスバー3018は、その左縁部3042から離れていると共に、特にディスクリートセクション3006の右縁部3052に沿っている太陽電池3000上の位置に形成されている。正面バスバー3028は、太陽電池3000の右縁部3044に沿って形成されており、これは、ディスクリートセクション3016の右縁部3072に沿ってもいる。正面バスバー3020、3022、3024、及び3026からなる残りのものは、他の正面バスバー3018、3028の間に不均一に間隔をおいて配置されている。具体的には、正面バスバー3020は、ディスクリートセクション3008の右縁部3056に沿って形成され、正面バスバー3022は、ディスクリートセクション3010の右縁部3060に沿って形成され、正面バスバー3024は、ディスクリートセクション3014の左縁部3066に沿って形成されている。各正面バスバー3018、3020、3022、3024、3026、及び3028は、そこから離れるように延びるフィンガーラインを有する。図31に示されるように、背面バスバー3030、3032、3034、3036、3038、及び3040は、太陽電池3000の背面3004に対応して形成される。
【００６６】
またさらなる別の実施形態によれば、六つのディスクリートセクション3206、3208、3210、3212、3214、3216を有する太陽電池3200が、図32及び図33に示されている。ディスクリートセクション3206、3208、3210、3212、3214、3216は、太陽電池3200の正面3202に正面バスバー3218、3220、3222、3224、3226、及び3228を含むようにそれぞれパターン形成されていると共に、太陽電池3200の背面3204に背面バスバー3230、3232、3234、3236、3238、及び3240を含むようにそれぞれパターン形成されている。正面バスバー3218は、その左縁部3242から離れていると共に、特にディスクリートセクション3206の右縁部3252に沿っている太陽電池3200上の位置に形成されている。正面バスバー3228は、太陽電池3200の右縁部3244に沿って形成されており、これは、ディスクリートセクション3216の右縁部3272に沿ってもいる。正面バスバー3220、3222、3224、及び3226からなる残りのものは、他の正面バスバー3218、3228の間に不均一に間隔をおいて配置されている。具体的には、正面バスバー3220は、ディスクリートセクション3208の右縁部3256に沿って形成され、正面バスバー3222は、ディスクリートセクション3210の左縁部3258に沿って形成され、正面バスバー3224は、ディスクリートセクション3214の右縁部3268に沿って形成され、正面バスバー3226は、ディスクリートセクション3214の左縁部3266に沿って形成されている。各正面バスバー3218、3220、3222、3224、3226、及び3228は、そこから離れるように延びるフィンガーラインを有する。図33に示されるように、背面バス3230、3232、3234、3236、3238、及び3240は、太陽電池3200の背面3204において対応する反対側縁部位置に形成されている。
【００６７】
いっそうさらに別の実施形態で、六つのディスクリートセクション3406、3408、3410、3412、3414、及び3416を有する太陽電池3400が、図34及び図35に示されている。ディスクリートセクション3406、3408、3410、3412、3414、及び3416は、太陽電池3400の正面3402に正面バスバー3418、3420、3422、3424、3426、及び3428を含むようにそれぞれパターン形成されていると共に、太陽電池3400の背面3404に背面バスバー3430、3432、3434、3436、3438、及び3440を含むようにそれぞれパターン形成されている。正面バスバー3418は、その左縁部3442から離れていると共に、特にディスクリートセクション3406の右縁部3452に沿っている太陽電池3400上の位置に形成されている。正面バスバー3428は、太陽電池3400の右縁部3444に沿って形成されており、これは、ディスクリートセクション3416の右縁部3472に沿ってもいる。正面バスバー3420、3422、及び3426からなる残りのものは、他の正面バスバー3418、3428の間に不均一に間隔をおいて配置されている。具体的には、正面バスバー3420は、ディスクリートセクション3408の左縁部3454に沿って形成され、正面バスバー3422は、ディスクリートセクション3410の右縁部3460に沿って形成され、正面バスバー3424は、ディスクリートセクション3412の右縁部3464に沿って形成され、正面バスバー3426は、ディスクリートセクション3414の左縁部3468に沿って形成されている。各正面バスバー3418、3420、3422、3424、3426、及び3428は、そこから離れるように延びるフィンガーラインを有する。図35に示されるように、背面バス3430、3432、3434、3436、3438、及び3440は、太陽電池3400の背面3404において対応する反対側縁部位置に形成されている。
【００６８】
図36及び図37に示された別の実施形態は、六つのディスクリートセクション3606、3608、3610、3612、3614、及び3616を有する太陽電池3600を含む。ディスクリートセクション3606、3608、3610、3612、3614、及び3616は、太陽電池3600の正面3602に正面バスバー3618、3620、3622、3624、3626、及び3628を含むようにそれぞれパターン形成されていると共に、太陽電池3600の背面3604に背面バスバー3630、3632、3634、3636、3638、及び3640を含むようにそれぞれパターン形成されている。正面バスバー3618は、その左縁部3642から離れていると共に、特にディスクリートセクション3606の右縁部3652に沿っている太陽電池3600上の位置に形成されている。正面バスバー3628は、太陽電池3600の右縁部3644に沿って形成されており、これは、ディスクリートセクション3616の右縁部3672に沿ってもいる。正面バスバー3620、3622、及び3626からなる残りのものは、他の正面バスバー3618、3628の間に不均一に間隔をおいて配置されている。具体的には、正面バスバー3620は、ディスクリートセクション3608の右縁部3656に沿って形成され、正面バスバー3622は、ディスクリートセクション3610の左縁部3658に沿って形成され、正面バスバー3624は、ディスクリートセクション3612の左縁部3662に沿って形成され、正面バスバー3626は、ディスクリートセクション3614の右縁部3668に沿って形成されている。各正面バスバー3618、3620、3622、3624、3626、及び3628は、そこから離れるように延びるフィンガーラインを有する。図37に示されるように、背面バス3630、3632、3634、3636、3638、及び3640は、太陽電池3600の背面3604において対応する反対側縁部位置に形成されている。
【００６９】
いっそうさらに別の実施形態で、六つのディスクリートセクション3806、3808、3810、3812、3814、及び3816を有する太陽電池3800が、図38及び図39に示されている。ディスクリートセクション3806、3808、3810、3812、3814、及び3816は、太陽電池3800の正面3802に正面バスバー3818、3820、3822、3824、3826、及び3828を含むようにそれぞれパターン形成されていると共に、太陽電池3800の背面3804に背面バスバー3830、3832、3834、3836、3838、及び3840を含むようにそれぞれパターン形成されている。正面バスバー3818は、その左縁部3842から離れていると共に、特にディスクリートセクション3806の右縁部3852に沿っている太陽電池3800上の位置に形成されている。正面バスバー3828は、太陽電池3800の右縁部3844に沿って形成されており、これは、ディスクリートセクション3816の右縁部3872に沿ってもいる。正面バスバー3820、3822、3824、及び3826からなる残りのものは、他の正面バスバー3818、3828の間に不均一に間隔をおいて配置されている。具体的には、正面バスバー3820は、ディスクリートセクション3808の左縁部3854に沿って形成され、正面バスバー3822は、ディスクリートセクション3810の右縁部3864に沿って形成され、正面バスバー3824は、ディスクリートセクション3812の左縁部3866に沿って形成され、正面バスバー3826は、ディスクリートセクション3814の右縁部3868に沿って形成されている。各正面バスバー3818、3820、3822、3824、3826、及び3828は、そこから離れるように延びるフィンガーラインを有する。図39に示されるように、背面バス3830、3832、3834、3836、3838、及び3840は、太陽電池3800の背面3804において対応する反対側縁部位置に形成されている。
【００７０】
別の実施形態では、六つのディスクリートセクション4006、4008、4010、4012、4014、4016を有する太陽電池4000が、図40及び図41に示されている。ディスクリートセクション4006、4008、4010、4012、4014、4016は、太陽電池4000の正面4002に正面バスバー4018、4020、4022、4024、4026、4028を含むようにそれぞれパターン形成されていると共に、太陽電池4000の背面4004に背面バスバー4030、4032、4034、4036、4038、4040を含むようにそれぞれパターン形成されている。正面バスバー4018は、その左縁部4042から離れていると共に、特にディスクリートセクション4006の右縁部4052に沿っている太陽電池4000上の位置に形成されている。正面バスバー4028は、太陽電池4000の右縁部4044に沿って形成されており、これは、ディスクリートセクション4016の右縁部4072に沿ってもいる。正面バスバー4018、4020、4022、及び4026からなる残りのものは、他の正面バスバー4016、4028の間に不均一に間隔をおいて配置されている。具体的には、正面バスバー4020は、ディスクリートセクション4008の左縁部4054に沿って形成され、正面バスバー4022は、ディスクリートセクション4010の左縁部4058に沿って形成され、正面バスバー4024は、ディスクリートセクション4014の右縁部4064に沿って形成され、正面バスバー4026は、ディスクリートセクション4014の右縁部4068に沿って形成されている。各正面バスバー4020、4022、4024、及び4026は、そこから離れるように延びるフィンガーラインを有する。図41に示されるように、背面バス4030、4032、4034、4036、4038、4040は、太陽電池4000の背面4004において対応する反対側縁部位置に形成されている。
【００７１】
さらに別の実施形態では、六つのディスクリートセクション4206、4208、4210、4212、4214、及び4216を有する太陽電池4200が、図42及び図43に示されている。ディスクリートセクション4206、4208、4210、4212、4214、及び4216は、太陽電池4200の正面4202に正面バスバー4218、4220、4222、4224、4226、及び4228を含むようにそれぞれパターン形成されていると共に、太陽電池4200の背面4204に背面バスバー4230、4232、4234、4236、4238、4240を含むようにそれぞれパターン形成されている。正面バスバー4218は、その左縁部4242から離れていると共に、特にディスクリートセクション4206の右縁部4252に沿っている太陽電池4200上の位置に形成されている。正面バスバー4228は、太陽電池4200の右縁部4244に沿って形成されており、これは、ディスクリートセクション4216の右縁部4272に沿ってもいる。正面バスバー4220、4222、4224、及び4226からなる残りのものは、他の正面バスバー4218、4228の間に不均一に間隔をおいて配置されている。具体的には、正面バスバー4220は、ディスクリートセクション4208の左縁部4254に沿って形成され、正面バスバー4222は、ディスクリートセクション4210の右縁部4260に沿って形成され、正面バスバー4224は、ディスクリートセクション4212の左縁部4262に沿って形成され、正面バスバー4226は、ディスクリートセクション4214の左縁部4266に沿って形成されている。各正面バスバー4218、4220、4222、4224、4226、及び4228は、そこから離れるように延びるフィンガーラインを有する。図43に示されるように、背面バス4230、4232、4234、4236、4238、4240は、太陽電池4200の背面4204において対応する反対側縁部位置に形成されている。
【００７２】
別の実施形態によれば、六つのディスクリートセクション4406、4408、4410、4412、4414、及び4416を有する太陽電池4400が、図44及び図45に示されている。ディスクリートセクション4406、4408、4410、4412、4414、及び4416は、太陽電池4400の正面4402に正面バスバー4418、4420、4422、4424、4426、及び4428を含むようにそれぞれパターン形成されていると共に、太陽電池4400の背面4404に背面バスバー4430、4432、4434、4436、4438、及び4440を含むようにそれぞれパターン形成されている。正面バスバー4418は、その左縁部4442から離れていると共に、特にディスクリートセクション4406の右縁部4452に沿っている太陽電池4400上の位置に形成されている。正面バスバー4428は、太陽電池4400の右縁部4444に沿って形成されており、これは、ディスクリートセクション4416の右縁部4472に沿ってもいる。正面バスバー4420、4422、4424、及び4426からなる残りのものは、他の正面バスバー4418、4428の間に不均一に間隔をおいて配置されている。具体的には、正面バスバー4420は、ディスクリートセクション4408の左縁部4454に沿って形成され、正面バスバー4422は、ディスクリートセクション4410の左縁部4458に沿って形成され、正面バスバー4424は、ディスクリートセクション4412の右縁部4464に沿って形成され、正面バスバー4426は、ディスクリートセクション4414の左縁部4426に沿って形成されている。各正面バスバー4418、4420、4422、4424、4426、及び4428は、そこから離れるように延びるフィンガーラインを有する。図45に示されるように、背面バス4430、4432、4434、4436、4438、4440は、太陽電池4400の背面4404において対応する反対側縁部位置に形成されている。
【００７３】
さらに別の実施形態では、六つのディスクリートセクション4606、4608、4610、4612、4614、及び4616を有する太陽電池4600が、図46及び図47に示されている。ディスクリートセクション4606、4608、4610、4612、4614、及び4616は、太陽電池4600の正面4602に正面バスバー4618、4620、4622、4624、4626、4628を含むようにそれぞれパターン形成されていると共に、太陽電池4600の背面4604に背面バスバー4630、4632、4634、4636、4638、4640を含むようにそれぞれパターン形成されている。正面バスバー4618は、その左縁部4642から離れていると共に、特にディスクリートセクション4606の右縁部4652に沿っている太陽電池4600上の位置に形成されている。正面バスバー4628は、太陽電池4600の右縁部4644に沿って形成されており、これは、ディスクリートセクション4616の右縁部4672に沿ってもいる。正面バスバー4620、4622、4624、及び4626からなる残りのものは、他の正面バスバー4618、4628の間に不均一に間隔をおいて配置されている。具体的には、正面バスバー4620は、ディスクリートセクション4608の右縁部4656に沿って形成され、正面バスバー4622は、ディスクリートセクション4610の右縁部4660に沿って形成され、正面バスバー4624は、ディスクリートセクション4612の右縁部4664に沿って形成され、正面バスバー4626は、ディスクリートセクション4614の左縁部4666に沿って形成されている。各正面バスバー4618、4620、4622、4624、4626、及び4628は、そこから離れるように延びるフィンガーラインを有する。図47に示されるように、背面バス4630、4632、4634、4636、4638、及び4640は、太陽電池4600の背面4604において対応する反対側縁部位置に形成されている。
【００７４】
またさらなる別の実施形態によれば、六つのディスクリートセクション4806、4808、4810、4812、4814、及び4816を有する太陽電池4800が、図48及び図49に示されている。ディスクリートセクション4806、4808、4810、4812、4814、及び4816は、太陽電池4800の正面4802に正面バスバー4818、4820、4822、4824、4826、4828を含むようにそれぞれパターン形成されていると共に、太陽電池4800の背面4804に背面バスバー4830、4832、4834、4836、4838、及び4840を含むようにそれぞれパターン形成されている。正面バスバー4818は、その左縁部4842から離れていると共に、特にディスクリートセクション4806の右縁部4852に沿っている太陽電池4800上の位置に形成されている。正面バスバー4828は、太陽電池4800の右縁部4844に沿って形成されおり、これは、ディスクリートセクション4816の右縁部4872に沿ってもいる。正面バスバー4820、4822、4824、及び4826からなる残りのものは、他の正面バスバー4818、4828の間に不均一に間隔をおいて配置されている。具体的には、正面バスバー4820は、ディスクリートセクション4808の左縁部4854に沿って形成され、正面バスバー4822は、ディスクリートセクション4810の右縁部4860に沿って形成され、正面バスバー4822は、ディスクリートセクション4810の右縁部4860に沿って形成され、正面バスバー4824は、ディスクリートセクション4812の左縁部4862に沿って形成され、正面バスバー4826は、ディスクリートセクション4814の右縁部4868に沿って形成されている。各正面バスバー4818、4820、4822、4824、4826、及び4828は、そこから離れるように延びるフィンガーラインを有する。図49に示されるように、背面バス4830、4832、4834、4836、4838、及び4840は、太陽電池4800の背面4804において対応する反対側縁部位置に形成されている。
【００７５】
六つのディスクリートセクション5006、5008、5010、5012、5014、及び5016を有する太陽電池5000が、図50及び図51に示されている。ディスクリートセクション5006、5008、5010、5012、5014、及び5016は、太陽電池5000の正面5002に正面バスバー5018、5020、5022、5024、5026、及び5028を含むようにそれぞれパターン形成されていると共に、太陽電池5000の背面5004に背面バスバー5030、5032、5034、5036、5038、及び5040を含むようにそれぞれパターン形成されている。正面バスバー5018は、その左縁部5042から離れていると共に、特にディスクリートセクション5006の左縁部5042に沿っている太陽電池5000上の位置に形成されている。正面バスバー5028は、太陽電池5000の左縁部5044に沿って形成されており、これは、ディスクリートセクション5016の左縁部5070に沿ってもいる。正面バスバー5020、5022、5024、及び5026からなる残りのものは、他の正面バスバー5018、5028の間に不均一に間隔をおいて配置されている。具体的には、正面バスバー5020は、ディスクリートセクション5008の右縁部5056に沿って形成され、正面バスバー5022は、ディスクリートセクション5010の右縁部5060に沿って形成され、正面バスバー5024は、ディスクリートセクション5012の右縁部5064に沿って形成され、正面バスバー5026は、ディスクリートセクション5014の右縁部5068に沿って形成されている。各正面バスバー5018、5020、5022、5024、5026、及び5028は、そこから離れるように延びるフィンガーラインを有する。図51に示されるように、背面バス5030、5032、5034、5036、5038、及び5040は、太陽電池5000の背面5004において対応する反対側縁部位置に形成されている。
【００７６】
別の実施形態では、六つのディスクリートセクション5206、5208、5210、5212、5214、5216を有する太陽電池5200が示されている。概して、六つのディスクリートセクションを有するこれらの太陽電池5200では、正面バスバーは、縁部に沿って共に形成されておらず、縁部の漏れを防ぐと共にシャント抵抗を改善するようになっており、(例えば、約0.4umのp-n接合の厚さ及び約190umの基部の厚さを有するセルにおける)より高い歩留まりとより良い低放射性能という結果になる。さらに、対称パターン設計が太陽電池の正面と背面の両方に含まれる太陽電池のいくつかの実施形態において、そのようなパターンは、正面極と背面極の間の一貫した伝導距離をもたらすことができる。特に、対称パターンは、ストリップ間の一様な抵抗損により電池効率検査における一貫性及び精度を改善することが分かっている。さらに、対称パターン設計を有するそれらの太陽電池については、より良いフィンガー及びバスバーの分解能になり、これは、それらの形成に使用される一様な機械的圧力によりスクリーンプリントがより長く続くことを可能にする。
【００７７】
図52に戻ると、ディスクリートセクション5206、5208、5210、5212、5214、及び5216は、太陽電池5200の正面5202に正面バスバー5218、5220、5222、5252、5226、及び5228を含むようにそれぞれパターン形成されていると共に、太陽電池5200の背面5204に背面バスバー5230、5232、5234、5236、5238、5240を含むようにそれぞれパターン形成されている。正面バスバー5218は、その左縁部5242に沿っている、特にディスクリートセクション5206の左縁部5250に沿っている太陽電池5200上の位置に形成されている。正面バスバー5228は、太陽電池5200の左縁部5244から離れて形成され、これは、ディスクリートセクション5216の左縁部5270に沿ってもいる。正面バスバー5220、5222、5224、及び5226からなる残りのものは、他の正面バスバー5218、5228の間に均一に間隔をおいて配置されている。具体的には、正面バスバー5220は、ディスクリートセクション5208の右縁部5256に沿って形成され、正面バスバー5222は、ディスクリートセクション5210の右縁部5260に沿って形成され、正面バスバー5224は、ディスクリートセクション5212の右縁部5264に沿って形成され、正面バスバー5226は、ディスクリートセクション5214の左縁部5266に沿って形成されている。各正面バスバー5218、5220、5222、5252、5226、及び5228は、そこから離れるように延びるフィンガーラインを有する。図53に示されるように、背面バス5230、5232、5234、5236、5238、及び5240は、太陽電池5200の背面5204において対応する反対側縁部位置に形成されている。
【００７８】
別の実施形態では、六つのディスクリートセクション5406、5408、5410、5412、5414、及び5416を有する太陽電池5400が、図54及び図55に示されている。ディスクリートセクション5406、5408、5410、5412、5414、及び5416は、太陽電池5400の正面5402に正面バスバー5418、5420、5422、5424、5426、及び5428を含むようにそれぞれパターン形成されていると共に、太陽電池5400の背面5404に背面バスバー5430、5432、5434、5436、5438、及び5440を含むようにそれぞれパターン形成されている。正面バスバー5418は、その左縁部5442に沿っている、特にディスクリートセクション5406の左縁部5450に沿っている太陽電池5400上の位置に形成されている。正面バスバー5428は、太陽電池5400の縁部5472から離れて形成されており、これは、ディスクリートセクション5416の左縁部5470に沿ってもいる。正面バスバー5420、5422、5424、及び5426からなる残りのものは、他の正面バスバー5418、5428の間に不均一に間隔をおいて配置されている。具体的には、正面バスバー5420は、ディスクリートセクション5408の右縁部5456に沿って形成され、正面バスバー5422は、ディスクリートセクション5410の左縁部5458に沿って形成され、正面バスバー5424は、ディスクリートセクション5412の右縁部5464に沿って形成され、正面バスバー5426は、ディスクリートセクション5414の右縁部5468に沿って形成されている。各正面バスバー5418、5420、5422、5424、5426、及び5428は、そこから離れるように延びるフィンガーラインを有する。図55に示されるように、背面バス5430、5432、5434、5436、5438、及び5440は、太陽電池5400の背面5404において対応する反対側縁部位置に形成されている。
【００７９】
さらに別の実施形態では、六つのディスクリートセクション5606、5608、5610、5612、5614、及び5616を有する太陽電池5600が、図56及び図57に示されている。ディスクリートセクション5606、5608、5610、5612、5614、及び5616は、太陽電池5600の正面5602に正面バスバー5618、5620、5622、5624、5626、及び5628を含むようにそれぞれパターン形成されていると共に、太陽電池5600の背面5604に背面バスバー5630、5632、5634、5636、5638、及び5640を含むようにそれぞれパターン形成されている。正面バスバー5618は、その左縁部5642に沿っている、特にディスクリートセクション5606の左縁部5650に沿っている太陽電池5600上の位置に形成されている。正面バスバー5628は、太陽電池5600の縁部5644から離れたものに沿って形成されており、これは、ディスクリートセクション5616の左縁部5670に沿ってもいる。正面バスバー5620、5622、5624、及び5626からなる残りのものは、他の正面バスバー5618、5628の間に不均一に間隔をおいて配置されている。具体的には、正面バスバー5620は、ディスクリートセクション5608の左縁部5654に沿って形成され、正面バスバー5622は、ディスクリートセクション5610の右縁部5660に沿って形成され、正面バスバー5624は、ディスクリートセクション5612の右縁部5664に沿って形成され、正面バスバー5626は、ディスクリートセクション5614の右縁部5668に沿って形成されている。各正面バスバー5618、5620、5622、5624、5626、及び5628は、そこから離れるように延びるフィンガーラインを有する。図57に示されるように、背面バス5630、5632、5634、5636、5638、及び5640は、太陽電池5600の背面5604において対応する反対側縁部位置に形成されている。
【００８０】
またさらに別の実施形態では、六つのディスクリートセクション5806、5808、5810、5812、5814、及び5816を有する太陽電池5800が、図58及び図59に示されている。ディスクリートセクション5806、5808、5810、5812、5814、及び5816は、太陽電池5800の正面5802に正面バスバー5818、5820、5822、5824、5826、及び5828を含むようにそれぞれパターン形成されていると共に、太陽電池5800の背面5804に背面バスバー5830、5832、5834、5836、5838、及び5840を含むようにそれぞれパターン形成されている。正面バスバー5818は、その左縁部5842から離れている、特にディスクリートセクション5806の右縁部5852に沿っている太陽電池5800上の位置に形成されている。正面バスバー5828は、太陽電池5800の右縁部5844から離れて形成されており、これは、ディスクリートセクション5816の左縁部5870に沿ってもいる。正面バスバー5820、5822、5824、及び5826からなる残りのものは、他の正面バスバー5818、5828の間に不均一に間隔をおいて配置されている。具体的には、正面バスバー5820は、ディスクリートセクション5808の右縁部5856に沿って形成され、正面バスバー5822は、ディスクリートセクション5810の右縁部5860に沿って形成され、正面バスバー5824は、ディスクリートセクション5812の右縁部5864に沿って形成され、正面バスバー5826は、ディスクリートセクション5814の右縁部5868に沿って形成されている。各正面バスバー5818、5820、5822、5824、5826、及び5828は、そこから離れるように延びるフィンガーラインを有する。図59に示されるように、背面バス5830、5832、5834、5836、5838、及び5840は、太陽電池5800背面5804において対応する反対側縁部位置に形成されている。
【００８１】
別の実施形態では、六つのディスクリートセクション6006、6008、6010、6012、6014、及び6016を有する太陽電池6000が、図60及び図61に示されている。ディスクリートセクション6006、6008、6010、6012、6014、及び6016は、太陽電池6000の正面6002に正面バスバー6018、6020、6022、6024、6026、6028を含むようにそれぞれパターン形成されていると共に、太陽電池6000の背面6004に背面バスバー6030、6032、6034、6036、6038、6040を含むようにそれぞれパターン形成されている。正面バスバー6018は、その左縁部6042から離れていると共に、特にディスクリートセクション6006の右縁部6052に沿っている太陽電池6000上の位置に形成されている。正面バスバー6028は、太陽電池6000の右縁部6044から離れて形成されており、これは、ディスクリートセクション6016の左縁部6070に沿ってもいる。正面バスバー6020、6022、6024、及び6026からなる残りのものは、他の正面バスバー6018、6028の間に不均一に間隔をおいて配置されている。具体的には、正面バスバー6020は、ディスクリートセクション6008の右縁部6056に沿って形成され、正面バスバー6022は、ディスクリートセクション6010の右縁部6060に沿って形成され、正面バスバー6024は、ディスクリートセクション6012の右縁部6064に沿って形成され、正面バスバー6026は、ディスクリートセクション6014の左縁部6066に沿って形成されている。各正面バスバー6018、6020、6022、6024、6026、及び6028は、そこから離れるように延びるフィンガーラインを有する。図61に示されるように、背面バス6030、6032、6034、6036、6038、及び6040は、太陽電池6000の背面6004において対応する反対側縁部位置に形成されている。
【００８２】
またさらに別の実施形態では、六つのディスクリートセクション6206、6208、6210、6212、6214、及び6216を有する太陽電池6200が、図62及び図63に示されている。ディスクリートセクション6206、6208、6210、6212、6214、及び6216は、太陽電池6200の正面6202に正面バスバー6218、6220、6222、6224、6226、及び6228を含むようにそれぞれパターン形成されていると共に、太陽電池6200の背面6204に背面バスバー6230、6232、6234、6236、6238、及び6240を含むようにそれぞれパターン形成されている。正面バスバー6220は、その左縁部6242から離れていると共に、特にディスクリートセクション6206の右縁部6252に沿っている太陽電池6200上の位置に形成されている。正面バスバー6228は、太陽電池6200の右縁部6244から離れて形成されており、これは、ディスクリートセクション6216の左縁部6270に沿ってもいる。正面バスバー6220、6222、6224、及び6226からなる残りのものは、他の正面バスバー6218、6228の間に不均一に間隔をおいて配置されている。具体的には、正面バスバー6220は、ディスクリートセクション6208の右縁部6256に沿って形成され、正面バスバー6222は、ディスクリートセクション6210の右縁部6260に沿って形成され、正面バスバー6224は、ディスクリートセクション6212の左縁部6262に沿って形成され、正面バスバー6226は、ディスクリートセクション6214の右縁部6268に沿って形成されている。各正面バスバー6218、6220、6222、6224、6226、及び6228は、そこから離れるように延びるフィンガーラインを有する。図63に示されるように、背面バス6230、6232、6234、6236、6238、及び6240は、太陽電池6200の背面6204において対応する反対側縁部位置に形成されている。
【００８３】
またまたさらに別の実施形態では、六つのディスクリートセクション6406、6408、6410、6412、6414、及び6416を有する太陽電池6400が、図64及び図65に示されている。ディスクリートセクション6406、6408、6410、6412、6414、及び6416は、太陽電池6400の正面6402に正面バスバー6418、6420、6422、6424、6426、及び6428を含むようにそれぞれパターン形成されていると共に、太陽電池6400の背面6404に背面バスバー6430、6432、6434、6436、6438、及び6440を含むようにそれぞれパターン形成されている。正面バスバー6418は、太陽電池6400上の位置に形成されているその左縁部6442から離れていると共に、特にディスクリートセクション6406の右縁部6452に沿っている。正面バスバー6428は、太陽電池6400の右縁部6444から離れて形成されており、これは、ディスクリートセクション6416の左縁部6470に沿ってもいる。正面バスバー6420、6422、6424、及び6426からなる残りのものは、他の正面バスバー6418、6426の間に不均一に間隔をおいて配置されている。具体的には、正面バスバー6420は、ディスクリートセクション6408の右縁部6456に沿って形成され、正面バスバー6422は、ディスクリートセクション6410の左縁部6458に沿って形成され、正面バスバー6424は、ディスクリートセクション6412の右縁部6464に沿って形成され、正面バスバー6426は、ディスクリートセクション6414の右縁部6468に沿って形成されている。各正面バスバー6418、6420、6422、6424、6426、及び6428は、そこから離れるように延びるフィンガーラインを有する。図65に示されるように、背面バス6430、6432、6434、6436、6438、及び6440は、太陽電池6400の背面6404において対応する反対側縁部位置に形成されている。
【００８４】
さらに別の実施形態では、六つのディスクリートセクション6606、6608、6610、6612、6614、及び6616を有する太陽電池6600が、図66及び図67に示されている。ディスクリートセクション6606、6608、6610、6612、6614、及び6616は、太陽電池6600の正面6602に正面バスバー6618、6620、6622、6624、6626、及び6628を含むようにそれぞれパターン形成されていると共に、太陽電池6600の背面6604に背面バスバー6630、6632、6634、6636、及び6638、及び6640を含むようにそれぞれパターン形成されている。正面バスバー6618は、その左縁部6642から離れていると共に、特にディスクリートセクション6606の右縁部6652に沿っている太陽電池6600上の位置に形成されている。正面バスバー6628は、太陽電池6600の右縁部6644から離れて形成されており、これは、ディスクリートセクション6616の左縁部6670に沿ってもいる。正面バスバー6620、6622、6624、及び6626からなる残りのものは、他の正面バスバー6618、6628の間に不均一に間隔をおいて配置されている。具体的には、正面バスバー6620は、ディスクリートセクション6608の左縁部6654に沿って形成され、正面バスバー6622は、ディスクリートセクション6610の右縁部6660に沿って形成され、正面バスバー6624は、ディスクリートセクション6612の右縁部6664に沿って形成され、正面バスバー6626は、ディスクリートセクション6614の右縁部6668に沿って形成されている。各正面バスバー6618、6620、6622、6624、6626、及び6628は、そこから離れるように延びるフィンガーラインを有する。図67に示されるように、背面バス6630、6632、6634、6636、6638、及び6640は、太陽電池6600の背面6604において対応する反対側縁部位置に形成されている。
【００８５】
またさらに別の実施形態では、六つのディスクリートセクション6806、6808、6810、6812、6814、及び6816を有する太陽電池6800が、図68及び図69に示されている。ディスクリートセクション6806、6808、6810、6812、6814、及び6816は、太陽電池6800の正面6802に正面バスバー6818、6820、6822、6824、6826、及び6828を含むようにそれぞれパターン形成されていると共に、太陽電池6800の背面6804に背面バスバー6830、6832、6834、6836、6838、及び6840を含むようにそれぞれパターン形成されている。正面バスバー6818は、その左縁部6842から離れていると共に、特にディスクリートセクション6806の右縁部6852に沿っている太陽電池6800上の位置に形成されている。正面バスバー6828は、太陽電池6800の右縁部6844から離れて形成されており、これは、ディスクリートセクション6816の左縁部6870に沿ってもいる。正面バスバー6820、6822、6824、及び6826からなる残りのものは、他の正面バスバー6818、6828の間に不均一に間隔をおいて配置されている。具体的には、正面バスバー6820は、ディスクリートセクション6808の右縁部6856に沿って形成され、正面バスバー6822は、ディスクリートセクション6810の右縁部6860に沿って形成され、正面バスバー6824は、ディスクリートセクション6812の左縁部6862に沿って形成され、正面バスバー6826は、ディスクリートセクション6814の右縁部6866に沿って形成されている。各正面バスバー6818、6820、6822、6824、6826、及び6828は、そこから離れるように延びるフィンガーラインを有する。図69に示されるように、背面バス6830、6832、6834、6836、6838、及び6840は、太陽電池6800の背面6804において対応する反対側縁部位置に形成されている。
【００８６】
図70及び図71は、一実施形態による六つのディスクリートセクション7006、7008、7010、7012、7014、及び7016を有する太陽電池7000を示す。ディスクリートセクション7006、7008、7010、7012、7014、及び7016は、太陽電池7000の正面7002に正面バスバー7018、7020、7022、7024、7026、及び7028を含むようにそれぞれパターン形成されていると共に、太陽電池7000の背面7004に背面バスバー7030、7032、7034、7036、7038、及び7040を含むようにそれぞれパターン形成されている。正面バスバー7018は、その左縁部7042から離れていると共に、特にディスクリートセクション7006の右縁部7052に沿っている太陽電池7000上の位置に形成されている。正面バスバー7028は、太陽電池7000の右縁部7044から離れて形成されており、これは、ディスクリートセクション7016の左縁部7070に沿ってもいる。正面バスバー7020、7022、7024、及び7026からなる残りのものは、他の正面バスバー7018、7028の間に不均一に間隔をおいて配置されている。具体的には、正面バスバー7020は、ディスクリートセクション7008の右縁部7056に沿って形成され、正面バスバー7022は、ディスクリートセクション7010の左縁部7058に沿って形成され、正面バスバー7024は、ディスクリートセクション7012の右縁部7060に沿って形成され、正面バスバー7024は、ディスクリートセクション7014の左縁部7062に沿って形成されている。各正面バスバー7018、7020、7022、7024、7026、及び7028は、そこから離れるように延びるフィンガーラインを有する。図71に示されるように、背面バス7030、7032、7034、7036、7038、及び7040は、太陽電池7000の背面7004において対応する反対側縁部位置に形成されている。
【００８７】
別の実施形態では、図72及び図73は、六つのディスクリートセクション7206、7208、7210、7212、7214、及び7216を有する太陽電池7200を示す。ディスクリートセクション7206、7208、7210、7212、7214、及び7216は、太陽電池7200の正面7202に正面バスバー7218、7220、7222、7224、7272、及び7228を含むようにそれぞれパターン形成されていると共に、太陽電池7200の背面7204に背面バスバー7230、7232、7234、7236、7238、及び7240を含むようにそれぞれパターン形成されている。正面バスバー7218は、その左縁部7242から離れていると共に、特にディスクリートセクション7206の右縁部7252に沿っている太陽電池7200上の位置に形成されている。正面バスバー7228は、太陽電池7200の右縁部7244から離れて形成されており、これは、ディスクリートセクション7216の左縁部7270に沿ってもいる。正面バスバー7220、7222、7224、及び7226からなる残りのものは、他の正面バスバー7218、7228の間に不均一に間隔をおいて配置されている。具体的には、正面バスバー7220は、ディスクリートセクション7208の左縁部7254に沿って形成され、正面バスバー7222は、ディスクリートセクション7210の右縁部7260に沿って形成され、正面バスバー7224は、ディスクリートセクション7212の右縁部7264に沿って形成され、正面バスバー7226は、ディスクリートセクション7214の左縁部7266に沿って形成されている。各正面バスバー7218、7220、7222、7224、7226、及び7228は、そこから離れるように延びるフィンガーラインを有する。図73に示されるように、背面バス7230、7232、7234、7236、7238、及び7240は、太陽電池7200の背面7204において対応する反対側縁部位置に形成されている。
【００８８】
別の実施形態によれば、図74及び図75は、六つのディスクリートセクション7406、7408、7410、7412、7414、7416を有する太陽電池7400を示す。ディスクリートセクション7406、7408、7410、7412、7414、及び7416は、太陽電池7400の正面7402に正面バスバー7418、7420、7422、7424、7426、及び7428を含むようにそれぞれパターン形成されていると共に、太陽電池7400の背面7404に背面バスバー7430、7432、7434、7436、7438、及び7440を含むようにそれぞれパターン形成されている。正面バスバー7418は、その左縁部7442から離れていると共に、特にディスクリートセクション7406の右縁部7452に沿っている太陽電池7400上の位置に形成されている。正面バスバー7428は、太陽電池7400の右縁部7444から離れて形成されており、これは、ディスクリートセクション7416の左縁部7470に沿ってもいる。正面バスバー7420、7422、7424、及び7426からなる残りのものは、他の正面バスバー7418、7428の間に不均一に間隔をおいて配置されている。具体的には、正面バスバー7420は、ディスクリートセクション7408の右縁部7454に沿って形成され、正面バスバー7422は、ディスクリートセクション7410の右縁部7460に沿って形成され、正面バスバー7424は、ディスクリートセクション7412の左縁部7462に沿って形成され、正面バスバー7426は、ディスクリートセクション7414の右縁部7468に沿って形成されている。各正面バスバー7418、7420、7422、7424、7426、及び7428は、そこから離れるように延びるフィンガーラインを有する。図75に示されるように、背面バス7430、7432、7434、7436、7438、及び7440は、太陽電池7400の背面7404において対応する反対側縁部位置に形成されている。
【００８９】
別の実施形態によれば、図76及び図77は、六つのディスクリートセクション7606、7608、7610、7612、7614、及び7616を有する太陽電池7600を示す。ディスクリートセクション7606、7608、7610、7612、7614、及び7616は、太陽電池7600の正面7602に正面バスバー7618、7620、7622、7624、7626、及び7628を含むようにそれぞれパターン形成されていると共に、太陽電池7600の背面7604に背面バスバー7630、7632、7634、7636、7638、及び7640を含むようにそれぞれパターン形成されている。正面バスバー7618は、その左縁部7642から離れていると共に、特にディスクリートセクション7606の右縁部7652に沿っている太陽電池7600上の位置に形成されている。正面バスバー7628は、太陽電池7600の右縁部7644から離れて形成されており、これは、ディスクリートセクション7616の左縁部7670に沿ってもいる。正面バスバー7620、7622、7624、及び7626からなる残りのものは、他の正面バスバー7618、7628の間に不均一に間隔をおいて配置されている。具体的には、正面バスバー7618は、ディスクリートセクション7608の左縁部7654に沿って形成され、正面バスバー7622は、ディスクリートセクション7610の左縁部7658に沿って形成され、正面バスバー7624は、ディスクリートセクション7612の右縁部7664に沿って形成され、正面バスバー7626は、ディスクリートセクション7614の右縁部7668に沿って形成されている。各正面バスバー7618、7620、7622、7624、7626、及び7628は、そこから離れるように延びるフィンガーラインを有する。図77に示されるように、背面バス7630、7632、7634、7636、7638、及び7640は、太陽電池7600の背面7604において対応する反対側縁部位置に形成されている。
【００９０】
特定の構成の如何を問わず、太陽電池は、最終的にソーラモジュールを形成するために使用される。この点について、図78を参照すると、太陽電池は、方法7800のステップ7802で得られる。一実施形態では、太陽電池は、例えば、フラッシュ検査を用いて検査される。5個のストリップを含む太陽電池の実施形態では、太陽電池の正面で互いに隣接した二つのバスバーをグループ化することによって、フラッシュ検査において三組のプローブを、バスバーに接触させるために使用することができ、これによって光が太陽電池に照らされるときにプローブによって作りだされる影の影響を少なくすることができる。同様に、6個のストリップが含まれる実施形態では、互いに隣接した二つのバスバーをグループ化することによって、フラッシュ検査には、六つのプローブに代えて、五組のプローブだけが使用されてもよく、代替として、互いに隣接した二組のバスバーをグループ化することによって、フラッシュ検査には、(六つのプローブではなく)四組のプローブだけが使用されてもよい。
【００９１】
太陽電池は、ステップ7804で切断される。具体的には、スクライブラインは、太陽電池が壊されるときに、ディスクリートセル間の太陽電池の表面上の間隙に割れ目が生じるように太陽電池の裏面に形成されている。各スクライブラインは、ウェハ厚さの約10%から約90%の間の深さを有する。一実施形態では、スクライブラインは、縁部から縁部まで太陽電池にわたって延びる。別の実施形態では、スクライブラインの一方又は両方は、  縁部から太陽電池の反対側縁部のちょうど手前まで延びる。図79には、スクライブされた太陽電池7900の例示的な実施形態が示されている。示されるように、」スクライブされた太陽電池7900は、五つのディスクリートセクション7904、7906、7908、7910、7912と共に背面バスバー7914、7916、7918、7920、7922、7924を有する背面7902を有する。スクライブライン7926、7928、7930、7932は、対応するディスクリートセクション7904、7906、7908、7910、7912間に形成される。五つのディスクリートセクションが含まれるが、太陽電池の他の実施形態では、より多くの又はより少ないものが含まれる。スクライブラインは、レーザ、ダイシングソーなどを用いて形成することができる。一実施形態では、図80に示されるように、太陽電池8000は、プラットフォーム8002上に配置され、背面8004は太陽電池8000のスクライブライン8006、8008、8010が形成できるように上向きになっている。一つ以上のレーザ8012、8014、8016は、スクライブライン8006、8008、8010を形成するように太陽電池上の位置に位置合わせされて、それによって太陽電池8000がストリップに単一化されることを可能にする。ストリップ8018、8020、8022、8024、8026に単一化された太陽電池8000の正面図が、図81に示されている。
【００９２】
次に、切断された太陽電池は、ステップ7806で割られる。太陽電池が単一化され得る実施形態では、太陽電池は、基部を形成するように互いに隣接して位置合わせされている複数の固定具を備えた真空チャックに配置される。真空チャックは、固定具の個数がストリップに単一化されることになる太陽電池のディスクリートセクションの個数に適合しているように選択される。各固定具は、穴又はスリットを有し、これは真空と連通している開口を与える。望まれるとき、真空は、太陽電池を基部の上部に機械的に一時結合するために吸引をもたらすように引くことができる。太陽電池を単一化するために、太陽電池は、各ディスクリートセクションが固定具のうち対応する一固定具の上部に配置されるように基部に配置される。真空が電源オンされ、基部上の位置に太陽電池を維持するように吸引が行われる。次に、固定具の全部が互いに対して移動する。一実施形態では、固定具のうち複数の固定具が、隣り合う固定具からある距離を離れて移動し、それによって太陽電池のディスクリートセクションに同様に互いから移動させ、結果として得られるストリップを形成する。別の実施の形態では、固定具のうち複数の固定具は、それらの長手方向軸に対して回転され又はねじられ、それによって太陽電池のディスクリートセクションに同様に移動させ、結果として得られるストリップを形成させる。一実施形態では、固定具の回転又はねじれは、予め決定されたシーケンスで引き起こすことができ、それによってストリップは一度に二つの方向にねじられない。さらに別の実施形態では、機械的圧力が、太陽電池をストリップにほぼ同時に割るように太陽電池の裏面に加えられる。他の実施形態では、代わりに、太陽電池が単一化される他のプロセスが実施されてもよいことが理解されよう。
【００９３】
太陽電池が単一化された後、ストリップは、ステップ7808で選別される。詳細には、図81に示されるように、最も左のストリップ8018及び最も右のストリップ8026は、面取りされた角を有し、結果として、面取りされていない角及びほぼ同一の寸法を有するストリップ8020、8022、8024とは異なる寸法を有する。一実施形態では、ストリップの選別は、自動光学選別プロセスを用いて実現される。別の実施形態では、ストリップは、完全な太陽電池に対してのそれらの位置に従って選別される。選別後、面取りされた角を有するストリップ8018、8026は、面取りされていない角を有するそれらのストリップ8020、8022、8024から隔離される。選別中、ストリップは、バスバーを所望の位置に位置合わせするように配置することができる。
【００９４】
図78を続けて参照すると、次いで、同様の寸法に作製されたストリップは、ステップ7810でストリングを形成するように重ね合わされる。一実施形態では、図82に示されるように、導電性接着剤8202は、背面バスバーが沿って形成されている縁部の反対側にある縁部に沿ってストリップ8204の表面に施される。別の実施形態では、導電性接着剤は、背面バスバー上のストリップの裏面に施される。接着剤は、接着剤材料をバスバー表面に供給するように構成された堆積型機械を用いることによって、単一の連続線として、複数の点、例えば破線として施すことができる。一実施形態では、接着剤が、対応するバスバーの長さよりも短いと共に、十分な付着及び電導性にするように幅及び厚さを有するように、接着剤は堆積させられる。接着剤がストリップ8204の上へ堆積させられた後、ストリップ8204及び第二の同様の寸法に作製されたストリップ8206は、ストリップ8206の背面バスバーが他のストリップ8204の正面バスバーと重ね合わさるように、又は代替として、一ストリップの正面バスバーが別のストリップの背面バスバーと重ね合わさるように位置合わせされる。接着剤を施し、ストリップを位置合わせ及び重ね合わせるステップは、所望の個数のストリップがストリングを形成するように接着されるまで繰り返される。一実施形態では、ストリングは、15個から100個のストリップを含む。ステップ7810は、二つのストリップに関して実行されるように説明されているが、ストリップの一方又は両方は、一つ以上の他のストリップに予め接着されてもよい。
【００９５】
図83は、各ストリップ8302、8304、8306の背面バスバーが重ね合わさると共に、隣接したストリップの正面バスバーの上に堆積させられる、面取りされた角のストリング8300、ストリップ8302、8304、8306を示す。ここで、15個から100個のストリップは、ストリング8300を構成する。続く以下の段落に詳細に述べられるように、ストリング8300の端部は、二つ以上のストリングが共にソーラモジュールの回路を形成するようにモジュール相互接続バスバーにさらに接続される各端部ストリップのバスバーにはんだ付け又は電気的に接続された金属箔を含む。別の実施形態では、モジュール相互接続バスバーは、回路を形成するように、端部ストリップのバスバーにはんだ付け又は電気的に直接接続することができる。別の実施形態では、図84に示されるように、面取りされていないストリップ8402、8404、8406は、ストリング8400を形成するように互いに接着される。図83に示されたストリング8300と同様に、図84のストリング8400は、15個から100個のストリップを含み、各ストリップは、各ストリップの背面バスバーが重ね合わさると共に、隣接したストリップの正面バスバーの上に配設されるように重ね合わされる。図84のストリング8400は、別の同様に構成されたストリングを結合するために電気的接続も含む。特定の構成の如何を問わず、ストリング400、8300、8400は、より多くの又はより少ないストリップを含んでもよい。
【００９６】
図85A及び図86Aは、それぞれ一実施形態によるソーラモジュール8500Aの正面図及び背面図である。簡潔に上述したように、ソーラモジュール8500Aは、バックシート8502Aと、バックシート8502Aの四つの縁部全部を囲むフレーム8503Aとを備える。バックシート8502Aは、ポリマー材料から形成され、フレーム8503Aは、アルマイト処理されたアルミニウム又は別の軽量硬質材料から形成される。
【００９７】
それらのうち10個、ストリップのストリング8504A、8506A、8508A、8510A、8512A、8514A、8516A、8518A、8520A、8522Aが、ここに示されており、バックシート8502Aの上へ配設される。具体的には示されていないが、ガラス層が、ストリップと保護のためにそれに関連した電気的接続との上に配設されることが理解されよう。ここで、ストリップは面取りされておらず、四角にした角を有する。ストリング8504A、8506A、8508A、8510A、8512A、8514A、8516A、8518A、8520A、8522Aは、縦方向に並んで配設され、結果として、各ストリング内の各ストリップは、ストリップが端から端まで延びるように、縦方向にバックシート8502Aに沿って延びる。
【００９８】
一実施形態では、二つ隣接したストリング8504A、8506A、8508A、8510A、8512A、8514A、8516A、8518A、8520A、8522Aの縁部は、それらの間に間隙を与えるように間隔をおいて配置することができる。「A」によって囲まれたソーラモジュール8500Aの一部の拡大図である図87に示されるように、間隙8702Aは、約1mmから約5mmの間の範囲内で二つの隣接したストリング8504A、8506Aの間に一様な幅を有する。別の実施形態では、ストリング8504A、8506A、8508A、8510A、8512A、8514A、8516A、8518A、8520A、8522Aの二つ以上の縁部は、互いにじかに隣接している。
【００９９】
ストリング8504A、8506A、8508A、8510A、8512A、8514A、8516A、8518A、8520A、8522Aは、上バスバー8524及び下バスバー8528A、8530Aに電気的に結合され、それぞれは、反対側端部上でバックシート8502Aの長さだけ延びる。一実施形態では、五つのストリング8504A、8506A、8508A、8510A、8512Aの第一のストリングセット8525Aは、上バスバー8524及び下バスバー8528Aを介して接続され、一方、他の五つのストリング8514A、8516A、8518A、8520A、8522Aを構成する第二のストリングセット8527Aは、上バスバー及び下バスバー8530Aを介して接続される。各接続は、一端部で対応するストリップに接着されると共に、他端部で対応するバスバーに接着される伝導性リボン材料を含む。このようにして、第一のストリングセット8525Aのストリング8504A、8506A、8508A、8510A、8512Aは、平行に接続され、第二のストリングセット8527Aのストリング8514A、8516A、8518A、8520A、8522Aは、平行に接続され、一方、ストリングセット8525A、8527A自体は、直列に接続されている。(図88に示された)分離ストリップ8532Aは、ストリングセット8525A、8527Aの間で支持を行うために二つのストリングセット8525A、8527Aの間に配設されている。分離ストリップ8532Aは、ストリングよりも長さが大きく、それぞれ二つのストリングセット8525A、8527Aの隣接したストリング8512A、8514Aが分離ストリップ8532Aの一部に重ね合わせることを可能にするのに十分な幅である。図88に示されるように、一実施形態では、分離ストリップ8532Aは、四角形をした端部8534Aを有し、タブの付いた端部8536Aは、四角形をした端部8534Aよりも幅が広い。一実施形態では、四角形をした端部は、ストリング8512A、8514Aを過ぎて延び、上バスバー8524Aの一部は、その幅にわたって配設されている。電気伝導性リボン8538Aは、分離ストリップのほぼ全長に沿って上バスバー8524Aからほぼ直角に下に延び、タブの付いた端部8536Aの中央は、タブの付いた端部8536Aが始まるところをちょうど越えて終わる。二つのさらなる電気伝導性リボン8540A、8542Aは、電気伝導性リボン8538Aの両側にタブの付いた端部8536Aの上へ配設される。さらなる電気伝導性リボン8540A、8542Aは、ストリング8525A、8527Aをジャンクションボックス8550に接続する隠された相互接続として働く。固定テープ8544Aは、分離ストリップ8532A及び伝導性リボン8538A、8540A、8542Aをストリング8512A、8514Aに対しての位置に保持するために使用される。一実施形態によれば、第一のストリングセット8525Aと第二のストリングセット8527Aの直列接続は、第一のストリングセット8525Aの負側及び第二のストリングセット8527Aの正側を共通のバスバーに取り付けることによって行うことができる。代替として、第一のストリングセット8525Aと第二のストリングセット8527Aの両方の正側は、ソーラモジュールの同じ側に配置されてもよく、ケーブル、ワイヤ、又は他のコネクタが、第一のストリングセット8525Aの負側を第二のストリングセット8527Aの正側に電気的に接続するために使用されてもよい。この第二の構成は、それらのうちの一つの再配向を除いて全部のストリングセットがソーラモジュール内に配置されることを可能にすることによって製造の効率を向上させ、バスバーのサイズを小さくさせ、並びに一つの側を長くさせると共に他の側を二つの短いバスバーで形成するのではなく同様の長さの全部のバスバーを作製し、したが��てモジュール全体の構成部品の個数を減少させる。
【０１００】
図86Aに示されるように、ソーラモジュール8500Aの背面8546Aは、バックシート8502Aを備え、そこにジャンクションボックス8550Aが取り付けられる。一実施形態では、ジャンクションボックス8550Aは、バイパスダイオードを備えない。別の実施形態では、ジャンクションボックス8550Aは、内部に配設された一つ以上のバイパスダイオードを備える。
【０１０１】
図85B及び図86Bは、それぞれ、別の実施形態によるソーラモジュール8500Bの正面図及び背面図である。ここで、ソーラモジュール8500Bは、バックシート8502Bと、このバックシート8502Bの四つの縁部全部を囲むフレーム8503Bとを備える。バックシート8502Bは、ポリマー材料から形成され、フレーム8503Bは、アルマイト処理されたアルミニウムから形成されている。
【０１０２】
ストリップのストリング8504B、8506B、8508B、8510B、8512B、8514B、8516B、8518B、8520B、8522B、それらの10個がここに示されており、バックシート8502Bの上に配設され、ソーラモジュール8500Aのものと同様のやり方で構成されている。ストリップは、形状が長方形であり、(図95と図96の両方に示された)典型的にはガラス層8505B及び接着剤層8507Bによって覆われる。
【０１０３】
ストリング8504B、8506B、8508B、8510B、8512B、8514B、8516B、8518B、8520B、8522Bは、一縁部に沿った上バスバー8523B、8524B (図95)と、反対側端部に沿った下バスバー8528B、8530Bとに電気的に結合されている。具体的には、ストリング8504B、8506B、8508B、8510B、8512Bは、第一のストリングセット8525Bを形成するために一縁部に沿った一つの上バスバー8523Bと反対側端部に沿ったバスバー8528Bとに結合され、ストリング8514B、8516B、8518B、8520B、8522Bは、第二のストリングセット8527Bを形成するために、一縁部に沿った別個のバスバー8524Bと反対側端部に沿ったバスバー8530Bとに結合される。一実施形態では、バスバー8523B、8524B、8528B、8530Bは、それぞれリボンの形態である。別の実施形態では、各接続は、一端部で対応するストリップに接着されると共に、他端部で対応するバスバーに接着される伝導性リボン材料を含む。図94は、一実施形態によるバスバー9400のリボン構成の上面図である。リボンバスバー9400は、モジュール8500Bの長い縁部とほぼ平行に配設された固体縁部9402と、ストリング(例えば、ストリング8504B、8506B、8508B、8510B、8512B、又はストリング8514B、8516B、8518B、8520B、8522B)の最も近くに配設されている切欠き付きの縁部9404とを有する薄い金属化テープの形態である。切欠き付きの縁部9404に沿って形成された切欠き9406は、一実施形態では、リボンバスバー9400の長さに沿ってぼぼ均等な間隔をおいて配置されており、それによってストリングの対応するストリップがリボンバスバー9400にはんだ付けされるときに、はんだ付け応力は、減少させられる。さもなければ、高いはんだ付け応力が、ストリップのうち一つ以上に不要なマイクロクラックを引き起こす可能性があり、これは、製品歩留まり及び信頼性に影響を及ぼし得る。別の実施形態では、切欠き9406は、不均等に間隔をおいて配置されている。二つのほぼ平行な列9408、9410に形成された開口は、リボンバスバー9400内に備えられ、一の列9408の開口は、隣接した切欠き9406間に位置し、他の列9410の各開口は、対応する切欠き9406の上に位置する。
【０１０４】
リボンバスバー9400として形成されるとき、バスバー8523B、8524B、8528B、8530Bは、露出される場合、電気絶縁性テープで覆われてもよい。テープは、バスバー8523B、8524B、8528B、8530Bは人間の目に見えないようにバックシート8502Bの色に適合する色を有することができる。
【０１０５】
モジュール8500Aと同様に、モジュール8500B内の第一のストリングセット8525Bのストリング8504B、8506B、8508B、8510B、8512Bは、平行に接続され、モジュール8500B内の第二のストリングセット8527Bのストリング8514B、8516B、8518B、8520B、8522Bは、平行に接続され、一方、ストリングセット8525B、8527B自体は、直列に接続されている。図95は、ストリングセット8525B、8527Bを電気的に接続し構造的に支持するためにファントムに示された二つのストリングセット8525B、8527Bの間に配設されるように構成された分離ストリップ8532B及び関連した電気的接続を示すバックシート8502Bを取り除いたモジュール8500Bの背面の一部の拡大図である。理解されるように、分離ストリップ8532B及び関連した電気的接続は、隣接したストリング8514B、8516Bのすぐ下に配設されている。一実施形態では、分離ストリップ8532Bは、バックシート8502Bの切断部分であり、接着剤層8533Bとバックシート8502Bの残りとの間に配設されている。接着剤層8533Bは、エチレン酢酸ビニル(EVA)、又は別の高温溶融タイプの接着剤で形成することができる。分離ストリップ8532Bは、ストリングよりも長さが大きい物であり得る。別の実施形態では、分離ストリップ8532Bは、それぞれ二つのストリングセット8525B、8527Bの隣接したストリング8512B、8514Bを分離ストリップ8532Bの一部に重ね合わせることを可能にするのに十分広い。図95に示されるように、一実施形態では、分離ストリップ8532Bは、長方形である。一実施形態では、一端部は、ストリング8512B、8514Bを過ぎて延び、それによって上バスバー8523B、8524Bの二つの各々の一部は、その幅の一部にわたって配設されている。他の端部は、ストリング8512B、8514Bによって覆われている。
【０１０６】
バックシート8502Bを含むことを除いて線B-Bに沿った図95に示されたモジュール8500Bの断面分解組立図である図96をさらに参照すると、電気伝導性リボン8538Bは、ストリング8512Bの背後で上バスバー8523Bからほぼ直角に分離ストリップの長さの約半分下げて延び、ストリング8514Bの背後に延びるように曲がって、下バスバー8530Bに接続する。このようにして、ストリング8512Bの極性を有する端子は、反対の極性を有するストリング8514Bの端子に直接接続することができる。二つのさらなる電気伝導性リボン8540B、8542Bは、ジャンクションボックス8550B、8551Bに接続を行うように備えられ(図86B)、各々は反対の極性を有する端子として働く。この点について、リボン8540Bは上バスバー8524Bから延び、リボン8542Bは下バスバー8528Bから延び、それによって各伝導性リボン8540B、8542Bは、ストリング8525、8527をジャンクションボックス8550B、8551Bに接続するように隠された相互接続として働く。固定テープ(図示せず)は、ストリング8512B、8514Bに対して分離ストリップ8532B上の位置に伝導性リボン8538B、8540B、8542Bを維持するように備えられる。
【０１０７】
例えば、線C-Cに沿った図95に示されたモジュール8500Bの断面分解組立図である図97に示されるように、電気伝導性リボン8538Bから離れたモジュール8500Bの他の領域に沿って、ソーラモジュール8500Bは、ガラス層8505と、接着剤層8533Bと、ストリングセット8512Bの一端部における上バスバー8523Bと、ストリングセット8512の反対側端部における下バスバー8530Bと、別の接着剤層8533Bと、バックシート8502Bとを備える。
【０１０８】
図86Bに示されるように、ソーラモジュール8500Bの背面8546Bは、バックシート8502Bを備え、そこに二つのジャンクションボックス8550B、8551Bが取り付けられる。一実施形態では、ジャンクションボックス8550B、8551Bは、バイパスダイオードを備えない。別の実施形態では、ジャンクションボックス8550B、8551Bの一方又は両方は、内部に配設された一つ以上のバイパスダイオードを備える。
【０１０９】
図85Cは、別の実施形態によるソーラモジュール8500Cの正面図である。ここで、ソーラモジュール8500Cは、バックシート8502Cと、このバックシート8502Cの四つの縁部全部を囲むフレーム8503Cとを備えると共に、ストリップのストリング8504C、8506C、8508C、8510C、8512C、8514C、8516C、8518C、8520C、8522Cを備える。モジュール8500Cは、ストリングに含まれるストリップが面取りされていることを除いて、モジュール8500Aとしてほぼ同一のやり方で形成されている。ソーラモジュール8500Cの背面図は、ソーラモジュール8500Bのものと同一である。
【０１１０】
上述されたように、ソーラモジュール8500は、多数の電気的構成のうちいずれか一つを組み込むことができる。例えば、図89を見ると、10個のストリング8900A〜8900Jが二組のストリングにグループ化されているソーラモジュール8500のための電気回路図が提供される。第一組のストリング8902Aのストリングは、互いに平行に接続され、バイパスダイオード8904Aを備える。同様に、第二組のストリング8902Bのストリングは、互いに平行に接続され、バイパスダイオード8904Bを備える。二組のストリング8902A、8902Bは、互いに直列に接続されている。
【０１１１】
別の実施形態では、図90に示されるように、バイパスダイオードが備えられていないことを除いて、図89に与えられた電気回路図と同一であるソーラモジュール8500のための電気回路図が提供される。
【０１１２】
図91は、ソーラモジュール8500のための電気回路図の別の実施形態である。ここで、10個のストリング9100A〜9100Jの各々は、二組のストリング9102A、9102Bにグループ化され、上側セクション9110A、9110B、及び下側セクション9112A、9112Bで構成されている。第一組のストリング9102Aの上側セクション9110Aは、平行に配置され、第一組のストリング9102Aの下側セクション9112Aは、平行に配置される。セクション9110A、 9112Aの各々は、バイパスダイオード9114A、9114Bと共にさらに配置される。第一組のストリング9102Bの上側セクション9110Bは、平行に配置され、第一組のストリング9102Bの下側セクション9112Bは、平行に配置される。セクション9110B、9112Bの各々は、バイパスダイオード9114C、9114Dと共にさらに配置される。ストリングの組9102A、9102Bは、直列に接続されている。
【０１１３】
図92は、(提供されている場合)上述したソーラモジュール8500などのソーラモジュールを製造する方法9200の流れ図である。一実施形態では、ステップ9202で、ソーラモジュールのための正面板として働くガラス板が基板として搭載され、次いで、ステップ9204で、エチレン酢酸ビニル(EVA)又はポリオレフィン(POE)膜などのカプセル化層が、ガラスの上部に置かれる。次に、ステップ9206で、ストリングセットが、カプセル化層の上に配設される。一実施形態では、所望の個数のストリングセットが、所望の回路を形成するように、適切に配置され、モジュール相互接続バスバーによって電気的に接続され得る。例えば、製造されるソーラモジュールは、10組のストリングで構成することができ、したがって、約1600mmから約1700mmの間の長さ、約980mmから約1100mmの間の幅、及び約2mmから約60mmの間の厚さを有することができる。別の実施形態では、ソーラモジュールは、1組から18組のストリングで構成することができ、ガラス板は、約500mmから約2500mmの間の長さ、約900mmから約1200mmの間の幅、及び約2mmから約60mmの間の厚さを有することができる。
【０１１４】
一実施形態では、ストリングセットは、ソーラモジュール8500に関して上述されたように、構成内のEVA層及びガラスの上に配置される。一実施形態では、ストリングセットは、EVA層の上に一つずつ置くことができる。代替として、所望の個数のストリングセットが、EVA層の上にほぼ同時に置かれてもよい。ソーラモジュールの大量生産によく使用されるストリングセットの自動レイアップ(laying up)に適した機械が用いられ得る。
【０１１５】
ストリングセット間に接続を形成するために、ステップ8908で、ストリングが相互接続される。例えば、バスバーは、伝導性リボン材料を介してストリングセットの対応する部分に電気的に接続される。適切に配置されたそこに接着される電気伝導性リボンを備えた分離ストリップは、上述したように、二つの隣接したストリングセット間に延びるように配置される。ジャンクションボックス内に隠される電線は、保護される、又は他の方法で線が後の製造段階でジャンクションボックス内に配置されること可能にするように隔離される。
【０１１６】
次に、ステップ9210で、別のカプセル化層が、ストリングセットの上部に置かれる。次いで、ステップ9212で、バックシートが、一つ以上の積層スタックを形成するようにカプセル化層の上に配置される。バックシート材料は、環境の影響からソーラモジュール回路を保護する。一実施形態では、バックシートは、製造歩留まりを改善するために、ガラス板よりも少し大きい寸法で作製される。別の実施形態ではバックシート材料は、環境からいっそう良い保護をもたらすためにガラスに置き換えられてもよい。
【０１１７】
バックシートのレイアップの後、積層スタックは、真空内の高温プロファイルの下でスタックが互いに接着されている真空積層チャンバの中に装填される。積層プロセスの特定の詳細は、使用されるカプセル化材料の特定の性質に依存する。
【０１１８】
積層後、ステップ9214で、モジュールは組み立てられる。骨組(framing)は、ソーラモジュールが据え付けられた後の風及び雪の状態に耐えるのに十分である機械的強度を与えるように用いられる。一実施形態では、骨組は、アルマイト処理されたアルミニウム材料で構成される。別の実施形態では、骨組は、モジュールの外側縁部に配設される。さらに別の実施形態では、骨組は、ガラス及び/又はバックシートの一部の上に延びる。さらに、シリコーンが、ガラスと骨組の間の間隙を封止するために使用され、それによってソーラモジュールの縁部は、ソーラモジュールの運転と干渉し得るモジュール内に意図せずに捕まえられ得る不要な材料から保護される。
【０１１９】
組み立ての後、ステップ9216で、ジャンクションボックスは、バックシートに据え付けられ、相互接続リボンバスバーは、ジャンクションボックス内の接触パッドにはんだ付け又は固定される。シリコーンポティング材料を使用してジャンクションボックスの縁部を封止して、湿気を防ぎ、及び/又は汚染物資がモジュールの中に入るのを防ぐ。さらに、ジャンクションボックス自体は、構成要素を腐食から防ぐようにポッティングすることができる。
【０１２０】
ステップ8918で、モジュールは検査される。検査の例には、限定するものでないが、モジュール電力出力を測定するフラッシュ検査、クラックマイ及びクロクラックを検出するためのエレクトロルミネセンス検査、安全のためのアース検査及びハイポット検査(high pot testing)などが含まれる。
【０１２１】
図93は、方法9200によって処理された後のソーラモジュール9300の簡潔化された断面図である。示されるように、ソーラモジュール9300は、ソーラモジュール9300の正面として働くガラス層9302と、EVA層9304と、リボン層9306と、セル9308と、分離ストリップ9310と、背面EVA層9312と、バックシート9314とを有する。
【０１２２】
本開示のいくつかの実施形態を図面に示したが、本開示がそれに限定されることを意図したものではなく、本開示は当業界が可能とするのと同じくらい範囲が広いものであり、本明細書は同様に読まれることが意図される。上記実施形態の任意の組み合わせも想定され、添付の特許請求の範囲内である。したがって、上記説明は、限定として解釈されるべきではなく、特定の実施形態の実例にすぎないものとして解釈されるべきである。当業者は、ここに添付された特許請求の範囲の範囲内の他の修正を想定するであろう。
【符号の説明】
【０１２３】
100  太陽電池
101  基板
102  メタライゼーションパターン
104  正面
106  ディスクリートセクション、セクション
108  ディスクリートセクション、セクション
110  ディスクリートセクション、セクション
112  ディスクリートセクション、セクション
114  ディスクリートセクション、セクション、最も右のディスクリートセクション
116  正面バスバー
118  正面バスバー
120  正面バスバー
122  正面バスバー
124  正面バスバー
126  ライン
128  ライン
130  ライン
132  ライン
134  ライン
135  上縁部
136  左縁部
137  下縁部
138  右縁部
140  フィンガーライン
142  境界線
146  背面
148  背面バスバー
150  背面バスバー
152  背面バスバー
154  背面バスバー
156  背面バスバー
160  左縁部
162  右縁部
164  右縁部
176  反対側(又は左)縁部
178  境界線
400  太陽電池、ストリング
404  正面
406  ディスクリートセクション、最も左のディスクリートセクション
408  ディスクリートセクション
410  ディスクリートセクション
412  ディスクリートセクション
414  ディスクリートセクション、最も右のディスクリートセクション
416  正面バスバー
418  正面バスバー
420  正面バスバー
422  正面バスバー
424  正面バスバー
435  縁部
436  左縁部
437  縁部
438  右縁部
446  背面
448  背面バスバー
450  背面バスバー
452  背面バスバー
454  背面バスバー
456  背面バスバー
462  右縁部
464  左縁部
470  右縁部
474  右縁部
476  反対側(又は左)縁部
478  境界線
600  太陽電池
604  正面
606  ディスクリートセクション、ディスクリート、最も左のディスクリートセクション
608  ディスクリートセクション、ディスクリート
610  ディスクリートセクション、ディスクリート
612  ディスクリートセクション、ディスクリート
614  ディスクリートセクション、ディスクリート、最も右のディスクリートセクション
616  正面バスバー
618  正面バスバー
620  正面バスバー
622  正面バスバー
624  正面バスバー
635  縁部
636  左縁部
638  右縁部
646  背面
648  背面バスバー
650  背面バスバー
652  背面バスバー
654  背面バスバー
656  背面バスバー
660  左縁部
662  右縁部
666  右縁部
668  左縁部
674  右縁部
676  反対側(又は左)縁部
800  太陽電池
804  正面
806  ディスクリートセクション、ディスクリート
808  ディスクリートセクション、ディスクリート
810  ディスクリートセクション、ディスクリート
812  ディスクリートセクション、ディスクリート
814  ディスクリートセクション、ディスクリート
816  正面バスバー
818  正面バスバー
820  正面バスバー
822  正面バスバー
824  正面バスバー
835  縁部
836  左縁部
838  右縁部
846  背面
848  背面バスバー、背面バス
850  背面バスバー、背面バス
852  背面バスバー、背面バス
854  背面バスバー、背面バス
856  背面バスバー、背面バス
862  右縁部
866  右縁部
870  右縁部
872  左縁部
876  左縁部
1000  太陽電池
1004  正面
1006  ディスクリートセクション
1008  ディスクリートセクション
1010  ディスクリートセクション
1012  ディスクリートセクション
1014  ディスクリートセクション
1016  正面バスバー
1018  正面バスバー
1020  正面バスバー
1022  正面バスバー
1024  正面バスバー
1035  縁部
1036  左縁部
1037  縁部
1038  右縁部
1039  縁部
1046  背面
1048  背面バスバー、背面バス
1050  背面バスバー、背面バス
1052  背面バスバー、背面バス
1054  背面バスバー、背面バス
1056  背面バスバー、背面バス
1062  右縁部
1076  左縁部
1200  太陽電池
1204  正面
1206  ディスクリートセクション
1208  ディスクリートセクション
1210  ディスクリートセクション
1212  ディスクリートセクション
1214  ディスクリートセクション
1216  正面バスバー
1218  正面バスバー
1220  正面バスバー
1222  正面バスバー
1224  正面バスバー
1246  背面
1248  背面バスバー、背面バス
1250  背面バスバー、背面バス
1252  背面バスバー、背面バス
1254  背面バスバー、背面バス
1256  背面バスバー、背面バス
1400  太陽電池
1404  正面
1406  ディスクリートセクション
1408  ディスクリートセクション
1410  ディスクリートセクション
1412  ディスクリートセクション
1414  ディスクリートセクション
1416  正面バスバー
1418  正面バスバー
1420  正面バスバー
1422  正面バスバー
1424  正面バスバー
1446  背面
1448  背面バスバー、背面バス
1450  背面バスバー、背面バス
1452  背面バスバー、背面バス
1454  背面バスバー、背面バス
1456  背面バスバー、背面バス
1600  太陽電池
1604  正面
1606  ディスクリートセクション
1608  ディスクリートセクション
1610  ディスクリートセクション
1612  ディスクリートセクション
1614  ディスクリートセクション
1616  正面バスバー
1618  正面バスバー
1620  正面バスバー
1622  正面バスバー
1624  正面バスバー
1646  背面
1648  背面バスバー、背面バス
1650  背面バスバー、背面バス
1652  背面バスバー、背面バス
1654  背面バスバー、背面バス
1656  背面バスバー、背面バス
1666  右縁部
1668  左縁部
1672  左縁部
1800  太陽電池
1804  正面
1806  ディスクリートセクション
1808  ディスクリートセクション
1810  ディスクリートセクション
1812  ディスクリートセクション
1814  ディスクリートセクション
1816  正面バスバー
1818  正面バスバー
1820  正面バスバー
1822  正面バスバー
1824  正面バスバー
1846  背面
1848  背面バスバー、背面バス
1850  背面バスバー、背面バス
1852  背面バスバー、背面バス
1854  背面バスバー、背面バス
1856  背面バスバー、背面バス
1864  左縁部
1870  右縁部
1872  左縁部
2000  太陽電池
2004  正面
2006  ディスクリートセクション
2008  ディスクリートセクション
2010  ディスクリートセクション
2012  ディスクリートセクション
2014  ディスクリートセクション
2016  正面バスバー
2018  正面バスバー
2020  正面バスバー
2022  正面バスバー
2024  正面バスバー
2046  背面
2048  背面バスバー、背面バス
2050  背面バスバー、背面バス
2052  背面バスバー、背面バス
2054  背面バスバー、背面バス
2056  背面バスバー、背面バス
2064  左縁部
2068  左縁部
2074  右縁部
2200  太陽電池
2204  正面
2206  ディスクリートセクション
2208  ディスクリートセクション
2210  ディスクリートセクション
2212  ディスクリートセクション
2214  ディスクリートセクション
2216  正面バスバー
2218  正面バスバー
2220  正面バスバー
2222  正面バスバー
2224  正面バスバー
2246  背面
2248  背面バスバー、背面バス
2250  背面バスバー、背面バス
2252  背面バスバー、背面バス
2254  背面バスバー、背面バス
2256  背面バスバー、背面バス
2264  左縁部
2268  左縁部
2272  左縁部
2400  太陽電池
2402  正面
2404  背面
2406  ディスクリートセクション
2408  ディスクリートセクション
2410  ディスクリートセクション
2412  ディスクリートセクション
2414  ディスクリートセクション
2416  ディスクリートセクション
2418  正面バスバー
2420  正面バスバー
2422  正面バスバー
2424  正面バスバー
2426  正面バスバー
2428  正面バスバー
2430  背面バスバー、背面バス
2432  背面バスバー、背面バス
2434  背面バスバー、背面バス
2436  背面バスバー、背面バス
2438  背面バスバー、背面バス
2440  背面バスバー、背面バス
2442  左縁部
2444  右縁部
2452  右縁部
2456  右縁部
2460  右縁部
2464  右縁部
2468  右縁部
2472  右縁部
2600  太陽電池
2602  正面
2604  背面
2606  ディスクリートセクション
2608  ディスクリートセクション
2610  ディスクリートセクション
2612  ディスクリートセクション
2614  ディスクリートセクション
2616  ディスクリートセクション
2618  正面バスバー
2620  正面バスバー
2622  正面バスバー
2624  正面バスバー
2626  正面バスバー
2628  正面バスバー
2630  背面バスバー
2632  背面バスバー
2634  背面バスバー
2636  背面バスバー
2638  背面バスバー
2640  背面バスバー
2642  左縁部
2644  右縁部
2652  右縁部
2654  左縁部
2660  右縁部
2664  右縁部
2668  右縁部
2672  右縁部
2800  太陽電池
2802  正面
2804  背面
2806  ディスクリートセクション
2808  ディスクリートセクション
2810  ディスクリートセクション
2812  ディスクリートセクション
2814  ディスクリートセクション
2816  ディスクリートセクション
2818  正面バスバー
2820  正面バスバー
2822  正面バスバー
2824  正面バスバー
2826  正面バスバー
2828  正面バスバー
2830  背面バスバー
2832  背面バスバー
2834  背面バスバー
2836  背面バスバー
2838  背面バスバー
2840  背面バスバー
2842  左縁部
2844  右縁部
2852  右縁部
2856  右縁部
2858  左縁部
2864  右縁部
2868  右縁部
2872  右縁部
3000  太陽電池
3002  正面
3004  背面
3006  ディスクリートセクション
3008  ディスクリートセクション
3010  ディスクリートセクション
3012  ディスクリートセクション
3014  ディスクリートセクション
3016  ディスクリートセクション
3018  正面バスバー
3020  正面バスバー
3022  正面バスバー
3024  正面バスバー
3026  正面バスバー
3028  正面バスバー
3030  背面バスバー
3032  背面バスバー
3034  背面バスバー
3036  背面バスバー
3038  背面バスバー
3040  背面バスバー
3042  左縁部
3044  右縁部
3052  右縁部
3056  右縁部
3060  右縁部
3066  左縁部
3072  右縁部
3200  太陽電池
3202  正面
3204  背面
3206  ディスクリートセクション
3208  ディスクリートセクション
3210  ディスクリートセクション
3212  ディスクリートセクション
3214  ディスクリートセクション
3216  ディスクリートセクション
3218  正面バスバー
3220  正面バスバー
3222  正面バスバー
3224  正面バスバー
3226  正面バスバー
3228  正面バスバー
3230  背面バスバー、背面バス
3232  背面バスバー、背面バス
3234  背面バスバー、背面バス
3236  背面バスバー、背面バス
3238  背面バスバー、背面バス
3240  背面バスバー、背面バス
3242  左縁部
3244  右縁部
3252  右縁部
3256  右縁部
3258  左縁部
3266  左縁部
3268  右縁部
3272  右縁部
3400  太陽電池
3402  正面
3404  背面
3406  ディスクリートセクション
3408  ディスクリートセクション
3410  ディスクリートセクション
3412  ディスクリートセクション
3414  ディスクリートセクション
3416  ディスクリートセクション
3418  正面バスバー
3420  正面バスバー
3422  正面バスバー
3424  正面バスバー
3426  正面バスバー
3428  正面バスバー
3430  背面バスバー、背面バス
3432  背面バスバー、背面バス
3434  背面バスバー、背面バス
3436  背面バスバー、背面バス
3438  背面バスバー、背面バス
3440  背面バスバー、背面バス
3442  左縁部
3444  右縁部
3452  右縁部
3454  左縁部
3460  右縁部
3464  右縁部
3468  左縁部
3472  右縁部
3600  太陽電池
3602  正面
3604  背面
3606  ディスクリートセクション
3608  ディスクリートセクション
3610  ディスクリートセクション
3612  ディスクリートセクション
3614  ディスクリートセクション
3616  ディスクリートセクション
3618  正面バスバー
3620  正面バスバー
3622  正面バスバー
3624  正面バスバー
3626  正面バスバー
3628  正面バスバー
3630  背面バスバー、背面バス
3632  背面バスバー、背面バス
3634  背面バスバー、背面バス
3636  背面バスバー、背面バス
3638  背面バスバー、背面バス
3640  背面バスバー、背面バス
3642  左縁部
3644  右縁部
3652  右縁部
3656  右縁部
3658  左縁部
3662  左縁部
3668  右縁部
3672  右縁部
3800  太陽電池
3802  正面
3804  背面
3806  ディスクリートセクション
3808  ディスクリートセクション
3810  ディスクリートセクション
3812  ディスクリートセクション
3814  ディスクリートセクション
3816  ディスクリートセクション
3818  正面バスバー
3820  正面バスバー
3822  正面バスバー
3824  正面バスバー
3826  正面バスバー
3828  正面バスバー
3830  背面バスバー、背面バス
3832  背面バスバー、背面バス
3834  背面バスバー、背面バス
3836  背面バスバー、背面バス
3838  背面バスバー、背面バス
3840  背面バスバー、背面バス
3842  左縁部
3844  右縁部
3852  右縁部
3854  左縁部
3864  左縁部
3866  左縁部
3868  右縁部
3872  右縁部
4000  太陽電池
4002  正面
4004  背面
4006  ディスクリートセクション
4008  ディスクリートセクション
4010  ディスクリートセクション
4012  ディスクリートセクション
4014  ディスクリートセクション
4016  ディスクリートセクション
4018  正面バスバー
4020  正面バスバー
4022  正面バスバー
4024  正面バスバー
4026  正面バスバー
4028  正面バスバー
4030  背面バスバー、背面バス
4032  背面バスバー、背面バス
4034  背面バスバー、背面バス
4036  背面バスバー、背面バス
4038  背面バスバー、背面バス
4040  背面バスバー、背面バス
4042  左縁部
4044  右縁部
4052  右縁部
4054  左縁部
4058  左縁部
4064  右縁部
4068  右縁部
4072  右縁部
4200  太陽電池
4202  正面
4204  背面
4206  ディスクリートセクション
4208  ディスクリートセクション
4210  ディスクリートセクション
4212  ディスクリートセクション
4214  ディスクリートセクション
4216  ディスクリートセクション
4218  正面バスバー
4220  正面バスバー
4222  正面バスバー
4224  正面バスバー
4226  正面バスバー
4228  正面バスバー
4230  背面バスバー、背面バス
4232  背面バスバー、背面バス
4234  背面バスバー、背面バス
4236  背面バスバー、背面バス
4238  背面バスバー、背面バス
4240  背面バスバー、背面バス
4242  左縁部
4244  右縁部
4252  右縁部
4254  左縁部
4260  右縁部
4262  左縁部
4266  左縁部
4272  右縁部
4400  太陽電池
4402  正面
4404  背面
4406  ディスクリートセクション
4408  ディスクリートセクション
4410  ディスクリートセクション
4412  ディスクリートセクション
4414  ディスクリートセクション
4416  ディスクリートセクション
4418  正面バスバー
4420  正面バスバー
4422  正面バスバー
4424  正面バスバー
4426  正面バスバー、左縁部
4428  正面バスバー
4430  背面バスバー、背面バス
4432  背面バスバー、背面バス
4434  背面バスバー、背面バス
4436  背面バスバー、背面バス
4438  背面バスバー、背面バス
4440  背面バスバー、背面バス
4442  左縁部
4444  右縁部
4452  右縁部
4454  左縁部
4458  左縁部
4464  右縁部
4472  右縁部
4600  太陽電池
4602  正面
4604  背面
4606  ディスクリートセクション
4608  ディスクリートセクション
4610  ディスクリートセクション
4612  ディスクリートセクション
4614  ディスクリートセクション
4616  ディスクリートセクション
4618  正面バスバー
4620  正面バスバー
4622  正面バスバー
4624  正面バスバー
4626  正面バスバー
4628  正面バスバー
4630  背面バスバー、背面バス
4632  背面バスバー、背面バス
4634  背面バスバー、背面バス
4636  背面バスバー、背面バス
4638  背面バスバー、背面バス
4640  背面バスバー、背面バス
4642  左縁部
4644  右縁部
4652  右縁部
4656  右縁部
4660  右縁部
4664  右縁部
4666  左縁部
4672  右縁部
4800  太陽電池
4802  正面
4804  背面
4806  ディスクリートセクション
4808  ディスクリートセクション
4810  ディスクリートセクション
4812  ディスクリートセクション
4814  ディスクリートセクション
4816  ディスクリートセクション
4818  正面バスバー
4820  正面バスバー
4822  正面バスバー
4824  正面バスバー
4826  正面バスバー
4828  正面バスバー
4830  背面バスバー、背面バス
4832  背面バスバー、背面バス
4834  背面バスバー、背面バス
4836  背面バスバー、背面バス
4838  背面バスバー、背面バス
4840  背面バスバー、背面バス
4842  左縁部
4844  右縁部
4852  右縁部
4854  左縁部
4860  右縁部
4862  左縁部
4868  右縁部
4872  右縁部
5000  太陽電池
5002  正面
5004  背面
5006  ディスクリートセクション
5008  ディスクリートセクション
5010  ディスクリートセクション
5012  ディスクリートセクション
5014  ディスクリートセクション
5016  ディスクリートセクション
5018  正面バスバー
5020  正面バスバー
5022  正面バスバー
5024  正面バスバー
5026  正面バスバー
5028  正面バスバー
5030  背面バスバー、背面バス
5032  背面バスバー、背面バス
5034  背面バスバー、背面バス
5036  背面バスバー、背面バス
5038  背面バスバー、背面バス
5040  背面バスバー、背面バス
5042  左縁部
5044  左縁部
5056  右縁部
5060  右縁部
5064  右縁部
5068  右縁部
5070  左縁部
5200  太陽電池
5202  正面
5204  背面
5206  ディスクリートセクション
5208  ディスクリートセクション
5210  ディスクリートセクション
5212  ディスクリートセクション
5214  ディスクリートセクション
5216  ディスクリートセクション
5218  正面バスバー
5220  正面バスバー
5222  正面バスバー
5224  正面バスバー
5226  正面バスバー
5228  正面バスバー
5230  背面バスバー、背面バス
5232  背面バスバー、背面バス
5234  背面バスバー、背面バス
5236  背面バスバー、背面バス
5238  背面バスバー、背面バス
5240  背面バスバー、背面バス
5242  左縁部
5244  左縁部
5250  左縁部
5256  右縁部
5260  右縁部
5264  右縁部
5266  左縁部
5270  左縁部
5400  太陽電池
5402  正面
5404  背面
5406  ディスクリートセクション
5408  ディスクリートセクション
5410  ディスクリートセクション
5412  ディスクリートセクション
5414  ディスクリートセクション
5416  ディスクリートセクション
5418  正面バスバー
5420  正面バスバー
5422  正面バスバー
5424  正面バスバー
5426  正面バスバー
5428  正面バスバー
5430  背面バスバー、背面バス
5432  背面バスバー、背面バス
5434  背面バスバー、背面バス
5436  背面バスバー、背面バス
5438  背面バスバー、背面バス
5440  背面バスバー、背面バス
5442  左縁部
5450  左縁部
5456  右縁部
5458  左縁部
5464  右縁部
5468  右縁部
5470  左縁部
5472  縁部
5600  太陽電池
5602  正面
5604  背面
5606  ディスクリートセクション
5608  ディスクリートセクション
5610  ディスクリートセクション
5612  ディスクリートセクション
5614  ディスクリートセクション
5616  ディスクリートセクション
5618  正面バスバー
5620  正面バスバー
5622  正面バスバー
5624  正面バスバー
5626  正面バスバー
5628  正面バスバー
5630  背面バスバー、背面バス
5632  背面バスバー、背面バス
5634  背面バスバー、背面バス
5636  背面バスバー、背面バス
5638  背面バスバー、背面バス
5640  背面バスバー、背面バス
5642  左縁部
5644  縁部
5650  左縁部
5654  左縁部
5660  右縁部
5664  右縁部
5668  右縁部
5670  左縁部
5800  太陽電池
5802  正面
5804  背面
5806  ディスクリートセクション
5808  ディスクリートセクション
5810  ディスクリートセクション
5812  ディスクリートセクション
5814  ディスクリートセクション
5816  ディスクリートセクション
5818  正面バスバー
5820  正面バスバー
5822  正面バスバー
5824  正面バスバー
5826  正面バスバー
5828  正面バスバー
5830  背面バスバー、背面バス
5832  背面バスバー、背面バス
5834  背面バスバー、背面バス
5836  背面バスバー、背面バス
5838  背面バスバー、背面バス
5840  背面バスバー、背面バス
5842  左縁部
5844  右縁部
5852  右縁部
5856  右縁部
5860  右縁部
5864  右縁部
5868  右縁部
5870  左縁部
6000  太陽電池
6002  正面
6004  背面
6006  ディスクリートセクション
6008  ディスクリートセクション
6010  ディスクリートセクション
6012  ディスクリートセクション
6014  ディスクリートセクション
6016  ディスクリートセクション
6018  正面バスバー
6020  正面バスバー
6022  正面バスバー
6024  正面バスバー
6026  正面バスバー
6028  正面バスバー
6030  背面バスバー、背面バス
6032  背面バスバー、背面バス
6034  背面バスバー、背面バス
6036  背面バスバー、背面バス
6038  背面バスバー、背面バス
6040  背面バスバー、背面バス
6042  左縁部
6044  右縁部
6052  右縁部
6056  右縁部
6060  右縁部
6064  右縁部
6066  左縁部
6070  左縁部
6200  太陽電池
6202  正面
6204  背面
6206  ディスクリートセクション
6208  ディスクリートセクション
6210  ディスクリートセクション
6212  ディスクリートセクション
6214  ディスクリートセクション
6216  ディスクリートセクション
6218  正面バスバー
6220  正面バスバー
6222  正面バスバー
6224  正面バスバー
6226  正面バスバー
6228  正面バスバー
6230  背面バスバー、背面バス
6232  背面バスバー、背面バス
6234  背面バスバー、背面バス
6236  背面バスバー、背面バス
6238  背面バスバー、背面バス
6240  背面バスバー、背面バス
6242  左縁部
6244  右縁部
6252  右縁部
6256  右縁部
6260  右縁部
6262  左縁部
6268  右縁部
6270  左縁部
6400  太陽電池
6402  正面
6404  背面
6406  ディスクリートセクション
6408  ディスクリートセクション
6410  ディスクリートセクション
6412  ディスクリートセクション
6414  ディスクリートセクション
6416  ディスクリートセクション
6418  正面バスバー
6420  正面バスバー
6422  正面バスバー
6424  正面バスバー
6426  正面バスバー
6428  正面バスバー
6430  背面バスバー、背面バス
6432  背面バスバー、背面バス
6434  背面バスバー、背面バス
6436  背面バスバー、背面バス
6438  背面バスバー、背面バス
6440  背面バスバー、背面バス
6442  左縁部
6444  右縁部
6452  右縁部
6456  右縁部
6458  左縁部
6464  右縁部
6468  右縁部
6470  左縁部
6600  太陽電池
6602  正面
6604  背面
6606  ディスクリートセクション
6608  ディスクリートセクション
6610  ディスクリートセクション
6612  ディスクリートセクション
6614  ディスクリートセクション
6616  ディスクリートセクション
6618  正面バスバー
6620  正面バスバー
6622  正面バスバー
6624  正面バスバー
6626  正面バスバー
6628  正面バスバー
6630  背面バスバー、背面バス
6632  背面バスバー、背面バス
6634  背面バスバー、背面バス
6636  背面バスバー、背面バス
6638  背面バスバー、背面バス
6640  背面バスバー、背面バス
6642  左縁部
6644  右縁部
6652  右縁部
6654  左縁部
6660  右縁部
6664  右縁部
6668  右縁部
6670  左縁部
6800  太陽電池
6802  正面
6804  背面
6806  ディスクリートセクション
6808  ディスクリートセクション
6810  ディスクリートセクション
6812  ディスクリートセクション
6814  ディスクリートセクション
6816  ディスクリートセクション
6818  正面バスバー
6820  正面バスバー
6822  正面バスバー
6824  正面バスバー
6826  正面バスバー
6828  正面バスバー
6830  背面バスバー、背面バス
6832  背面バスバー、背面バス
6834  背面バスバー、背面バス
6836  背面バスバー、背面バス
6838  背面バスバー、背面バス
6840  背面バスバー、背面バス
6842  左縁部
6844  右縁部
6852  右縁部
6856  右縁部
6860  右縁部
6862  左縁部
6866  右縁部
6870  左縁部
7000  太陽電池
7002  正面
7004  背面
7006  ディスクリートセクション
7008  ディスクリートセクション
7010  ディスクリートセクション
7012  ディスクリートセクション
7014  ディスクリートセクション
7016  ディスクリートセクション
7018  正面バスバー
7020  正面バスバー
7022  正面バスバー
7024  正面バスバー
7026  正面バスバー
7028  正面バスバー
7030  背面バスバー、背面バス
7032  背面バスバー、背面バス
7034  背面バスバー、背面バス
7036  背面バスバー、背面バス
7038  背面バスバー、背面バス
7040  背面バスバー、背面バス
7042  左縁部
7044  右縁部
7052  右縁部
7056  右縁部
7058  左縁部
7060  右縁部
7062  左縁部
7070  左縁部
7200  太陽電池
7202  正面
7204  背面
7206  ディスクリートセクション
7208  ディスクリートセクション
7210  ディスクリートセクション
7212  ディスクリートセクション
7214  ディスクリートセクション
7216  ディスクリートセクション
7218  正面バスバー
7220  正面バスバー
7222  正面バスバー
7224  正面バスバー
7226  正面バスバー
7228  正面バスバー
7230  背面バスバー、背面バス
7232  背面バスバー、背面バス
7234  背面バスバー、背面バス
7236  背面バスバー、背面バス
7238  背面バスバー、背面バス
7240  背面バスバー、背面バス
7242  左縁部
7244  右縁部
7252  右縁部
7254  左縁部
7260  右縁部
7264  右縁部
7266  左縁部
7270  左縁部
7400  太陽電池
7402  正面
7404  背面
7406  ディスクリートセクション
7408  ディスクリートセクション
7410  ディスクリートセクション
7412  ディスクリートセクション
7414  ディスクリートセクション
7416  ディスクリートセクション
7418  正面バスバー
7420  正面バスバー
7422  正面バスバー
7424  正面バスバー
7426  正面バスバー
7428  正面バスバー
7430  背面バスバー、背面バス
7432  背面バスバー、背面バス
7434  背面バスバー、背面バス
7436  背面バスバー、背面バス
7438  背面バスバー、背面バス
7440  背面バスバー、背面バス
7442  左縁部
7444  右縁部
7452  右縁部
7454  右縁部
7460  右縁部
7462  左縁部
7468  右縁部
7470  左縁部
7600  太陽電池
7602  正面
7604  背面
7606  ディスクリートセクション
7608  ディスクリートセクション
7610  ディスクリートセクション
7612  ディスクリートセクション
7614  ディスクリートセクション
7616  ディスクリートセクション
7618  正面バスバー
7620  正面バスバー
7622  正面バスバー
7624  正面バスバー
7626  正面バスバー
7628  正面バスバー
7630  背面バスバー、背面バス
7632  背面バスバー、背面バス
7634  背面バスバー、背面バス
7636  背面バスバー、背面バス
7638  背面バスバー、背面バス
7640  背面バスバー、背面バス
7642  左縁部
7644  右縁部
7652  右縁部
7654  左縁部
7658  左縁部
7664  右縁部
7668  右縁部
7670  左縁部
7800  方法
7900  スクライブされた太陽電池
7902  背面
7904  ディスクリートセクション
7906  ディスクリートセクション
7908  ディスクリートセクション
7910  ディスクリートセクション
7912  ディスクリートセクション
7914  背面バスバー
7916  背面バスバー
7918  背面バスバー
7920  背面バスバー
7922  背面バスバー
7924  背面バスバー
7926  スクライブライン
7928  スクライブライン
7930  スクライブライン
7932  スクライブライン
8000  太陽電池
8002  プラットフォーム
8004  背面
8006  スクライブライン
8008  スクライブライン
8010  スクライブライン
8012  レーザ
8014  レーザ
8016  レーザ
8018  ストリップ
8020  ストリップ
8022  ストリップ
8024  ストリップ
8026  ストリップ
8202  導電性接着剤
8204  ストリップ
8206  ストリップ
8300  ストリング、面取りされた角のストリング
8302  ストリップ
8304  ストリップ
8306  ストリップ
8400  ストリング
8402  面取りされていないストリップ
8404  面取りされていないストリップ
8406  面取りされていないストリップ
8500  ソーラモジュール
8500A  ソーラモジュール
8500B  ソーラモジュール、モジュール
8500C  ソーラモジュール
8502A  バックシート
8502B  バックシート
8502C  バックシート
8503A  フレーム
8503B  フレーム
8503C  フレーム
8504A  ストリング
8504B  ストリング
8504C  ストリング
8505  ガラス層
8505B  ガラス層
8506A  ストリング
8506B  ストリング
8506C  ストリング
8507B  接着剤層
8508A  ストリング
8508B  ストリング
8508C  ストリング
8510A  ストリング
8510B  ストリング
8510C  ストリング
8512  ストリングセット
8512A  ストリング
8512B  ストリング、ストリングセット
8512C  ストリング
8514A  ストリング
8514B  ストリング
8514C  ストリング
8516A  ストリング
8516B  ストリング
8516C  ストリング
8518A  ストリング
8518B  ストリング
8518C  ストリング
8520A  ストリング
8520B  ストリング
8520C  ストリング
8522A  ストリング
8522B  ストリング
8522C  ストリング
8523B  上バスバー、バスバー
8524  上バスバー
8524A  上バスバー
8524B  上バスバー、別個のバスバー、バスバー
8525A  第一のストリングセット、ストリングセット、ストリング
8525B  第一のストリングセット、ストリングセット、ストリング
8527A  第二のストリングセット、ストリングセット、ストリング
8527B  第二のストリングセット、ストリングセット、ストリング
8528A  下バスバー
8528B  下バスバー、バスバー
8530A  下バスバー
8530B  下バスバー、バスバー
8532A  分離ストリップ
8532B  分離ストリップ
8533B  接着剤層
8534A  四角形をした端部
8536A  タブの付いた端部
8538A  電気伝導性リボン、伝導性リボン
8538B  電気伝導性リボン、伝導性リボン
8540A  さらなる電気伝導性リボン、伝導性リボン
8540B  さらなる電気伝導性リボン、伝導性リボン、リボン
8542A  さらなる電気伝導性リボン、伝導性リボン
8542B  さらなる電気伝導性リボン、伝導性リボン、リボン
8544A  固定テープ
8546A  背面
8546B  背面
8550  ジャンクションボックス
8550A  ジャンクションボックス
8550B  ジャンクションボックス
8551B  ジャンクションボックス
8702A  間隙
8900A〜8900J  ストリング
8902A  第一組のストリング、ストリングの組
8902B  第二組のストリング、ストリングの組
8904A  バイパスダイオード
8904B  バイパスダイオード
9100A〜9100J  ストリング
9102A  ストリングの組、第一組のストリング
9102B  ストリングの組、第一組のストリング
9110A  上側セクション、セクション
9110B  上側セクション、セクション
9112A  下側セクション、セクション
9112B  下側セクション、セクション
9114A  バイパスダイオード
9114B  バイパスダイオード
9114C  バイパスダイオード
9114D  バイパスダイオード
9200  方法
9300  ソーラモジュール
9302  ガラス層
9304 EVA層
9306  リボン層
9308  セル
9310  分離ストリップ
9312  背面EVA層
9314  バックシート
9400  バスバー
9402  固体縁部
9404  切欠き付きの縁部
9406  切欠き
9408  ほぼ平行な列、一の列
9410  ほぼ平行な列、他の列
【図１】
2018152561.tif 000003
【図２】
2018152561.tif 000004
【図３】
2018152561.tif 000005
【図４】
2018152561.tif 000006
【図５】
2018152561.tif 000007
【図６】
2018152561.tif 000008
【図７】
2018152561.tif 000009
【図８】
2018152561.tif 000010
【図９】
2018152561.tif 000011
【図１０】
2018152561.tif 000012
【図１１】
2018152561.tif 000013
【図１２】
2018152561.tif 000014
【図１３】
2018152561.tif 000015
【図１４】
2018152561.tif 000016
【図１５】
2018152561.tif 000017
【図１６】
2018152561.tif 000018
【図１７】
2018152561.tif 000019
【図１８】
2018152561.tif 000020
【図１９】
2018152561.tif 000021
【図２０】
2018152561.tif 000022
【図２１】
2018152561.tif 000023
【図２２】
2018152561.tif 000024
【図２３】
2018152561.tif 000025
【図２４】
2018152561.tif 000026
【図２５】
2018152561.tif 000027
【図２６】
2018152561.tif 000028
【図２７】
2018152561.tif 000029
【図２８】
2018152561.tif 000030
【図２９】
2018152561.tif 000031
【図３０】
2018152561.tif 000032
【図３１】
2018152561.tif 000033
【図３２】
2018152561.tif 000034
【図３３】
2018152561.tif 000035
【図３４】
2018152561.tif 000036
【図３５】
2018152561.tif 000037
【図３６】
2018152561.tif 000038
【図３７】
2018152561.tif 000039
【図３８】
2018152561.tif 000040
【図３９】
2018152561.tif 000041
【図４０】
2018152561.tif 000042
【図４１】
2018152561.tif 000043
【図４２】
2018152561.tif 000044
【図４３】
2018152561.tif 000045
【図４４】
2018152561.tif 000046
【図４５】
2018152561.tif 000047
【図４６】
2018152561.tif 000048
【図４７】
2018152561.tif 000049
【図４８】
2018152561.tif 000050
【図４９】
2018152561.tif 000051
【図５０】
2018152561.tif 000052
【図５１】
2018152561.tif 000053
【図５２】
2018152561.tif 000054
【図５３】
2018152561.tif 000055
【図５４】
2018152561.tif 000056
【図５５】
2018152561.tif 000057
【図５６】
2018152561.tif 000058
【図５７】
2018152561.tif 000059
【図５８】
2018152561.tif 000060
【図５９】
2018152561.tif 000061
【図６０】
2018152561.tif 000062
【図６１】
2018152561.tif 000063
【図６２】
2018152561.tif 000064
【図６３】
2018152561.tif 000065
【図６４】
2018152561.tif 000066
【図６５】
2018152561.tif 000067
【図６６】
2018152561.tif 000068
【図６７】
2018152561.tif 000069
【図６８】
2018152561.tif 000070
【図６９】
2018152561.tif 000071
【図７０】
2018152561.tif 000072
【図７１】
2018152561.tif 000073
【図７２】
2018152561.tif 000074
【図７３】
2018152561.tif 000075
【図７４】
2018152561.tif 000076
【図７５】
2018152561.tif 000077
【図７６】
2018152561.tif 000078
【図７７】
2018152561.tif 000079
【図７８】
2018152561.tif 000080
【図７９】
2018152561.tif 000081
【図８０】
2018152561.tif 000082
【図８１】
2018152561.tif 000083
【図８２】
2018152561.tif 000084
【図８３】
2018152561.tif 000085
【図８４】
2018152561.tif 000086
【図８５Ａ】
2018152561.tif 000087
【図８５Ｂ】
2018152561.tif 000088
【図８５Ｃ】
2018152561.tif 000089
【図８６Ａ】
2018152561.tif 000090
【図８６Ｂ】
2018152561.tif 000091
【図８７】
2018152561.tif 000092
【図８８】
2018152561.tif 000093
【図８９】
2018152561.tif 000094
【図９０】
2018152561.tif 000095
【図９１】
2018152561.tif 000096
【図９２】
2018152561.tif 000097
【図９３】
2018152561.tif 000098
【図９４】
2018152561.tif 000099
【図９５】
2018152561.tif 000100
【図９６】
2018152561.tif 000101
【図９７】
2018152561.tif 000102
【外国語明細書】
2018152561000001.pdf